(57)【要約】  衝突またはフラグメンテーションセル（５）の上流に配置されたイオン移動度分光計またはセパレータ（３）を含む質量分析計が開示される。イオンは、イオン移動度分光計またはセパレータ（３）内でそのイオン移動度にしたがって分離される。衝突またはフラグメンテーションセル（５）に入射する際のイオンのフラグメンテーションエネルギーを最適化するために、イオン移動度分光計またはセパレータ（３）に存在するイオンの運動エネルギーは時間とともに実質的に直線的に増加される。
2008513941.tif 000002
【特許請求の範囲】
【請求項１】
イオンをそのイオン移動度にしたがって分離するように配置および適合されるイオン移動度分光計またはセパレータと、
時刻ｔ1に前記イオン移動度分光計またはセパレータから現れる第１のイオンを第１の運動エネルギーＥ1を得るように加速し、かつ時刻ｔ1より後の第２の時刻ｔ2に前記イオン移動度分光計またはセパレータから現れる第２の異なるイオンを第２の異なる運動エネルギーＥ2を得るように加速するように配置および適合される加速手段と、
前記加速手段によって加速されたイオンを受け取るように配置されるフラグメンテーションデバイスと
を含む質量分析計。
【請求項２】
前記加速手段が、イオンが前記イオン移動度分光計またはセパレータから前記フラグメンテーションデバイスへと進む際に前記イオンが得る運動エネルギーを変更および／または変化および／または走査するように配置および適合される請求項１に記載の質量分析計。
【請求項３】
前記加速手段が、実質的に連続的および／または直線的および／または漸進的および／または規則的な方法で、イオンが前記イオン移動度分光計またはセパレータから前記フラグメンテーションデバイスへと進む際に前記イオンが得る運動エネルギーを変更および／または変化および／または走査するように配置および適合される請求項２に記載の質量分析計。
【請求項４】
前記加速手段が、実質的に非連続的および／または非直線的および／または段階的な方法で、イオンが前記イオン移動度分光計またはセパレータから前記フラグメンテーションデバイスへと進む際に前記イオンが得る運動エネルギーを変更および／または変化および／または走査するように配置および適合される請求項２に記載の質量分析計。
【請求項５】
Ｅ2＞Ｅ1である、先行する請求項のいずれかに記載の質量分析計。
【請求項６】
前記加速手段が、イオンが前記イオン移動度分光計またはセパレータから前記フラグメンテーションデバイスへ移送される際に前記イオンが得る運動エネルギーを、時間とともに漸進的に増加するように、配置および適合される先行する請求項のいずれかに記載の質量分析計。
【請求項７】
加速手段が、イオンが前記フラグメンテーションデバイスに入射する際にフラグメンテーションのための実質的に最適な運動エネルギーを得るように、前記イオンを加速するように、配置および適合される先行する請求項のいずれかに記載の質量分析計。
【請求項８】
イオンをそのイオン移動度にしたがって分離するように配置および適合されるイオン移動度分光計またはセパレータと、
時刻ｔ1に前記イオン移動度分光計またはセパレータから現れる第１のイオンを第１のポテンシャル差Ｖ1を通して加速し、かつ時刻ｔ1より後の第２の時刻ｔ2に前記イオン移動度分光計またはセパレータから現れる第２の異なるイオンを第２の異なるポテンシャル差Ｖ2を通して加速するように配置および適合される加速手段と、
前記加速手段によって加速されたイオンを受け取るように配置されるフラグメンテーションデバイスと
を含む質量分析計。
【請求項９】
前記加速手段が、イオンが前記イオン移動度分光計またはセパレータから前記フラグメンテーションデバイスへと進む際に前記イオンが通過するポテンシャル差を、変更および／または変化および／または走査するように配置および適合される請求項８に記載の質量分析計。
【請求項１０】
前記加速手段が、実質的に連続的および／または直線的および／または漸進的および／または規則的な方法で、イオンが前記イオン移動度分光計またはセパレータから前記フラグメンテーションデバイスへと進む際に前記イオンが通過するポテンシャル差を、変更および／または変化および／または走査するように配置および適合される、請求項９に記載の質量分析計。
【請求項１１】
前記加速手段が、実質的に非連続的および／または非直線的および／または段階的な方法で、イオンが前記イオン移動度分光計またはセパレータから前記フラグメンテーションデバイスへと進む際に前記イオンが通過するポテンシャル差を、変更および／または変化および／または走査するように配置および適合される請求項９に記載の質量分析計。
【請求項１２】
Ｖ2＞Ｖ1である、請求項８から１１のいずれかに記載の質量分析計。
【請求項１３】
前記加速手段が、イオンが前記イオン移動度分光計またはセパレータから前記フラグメンテーションデバイスへ移送される際に、前記イオンが通過するポテンシャル差を漸進的に増加するように、配置および適合される請求項８から１２のいずれかに記載の質量分析計。
【請求項１４】
Ｖ2＜Ｖ1である、請求項８から１１のいずれかに記載の質量分析計。
【請求項１５】
前記加速手段が、イオンが前記イオン移動度分光計またはセパレータから前記フラグメンテーションデバイスへ移送される際に、前記イオンが通過するポテンシャル差を低減するように、配置および適合される請求項８から１１または１４のいずれかに記載の質量分析計。
【請求項１６】
前記加速手段が、イオンが前記フラグメンテーションデバイスに入射する際に、フラグメンテーションのための実質的に最適なポテンシャル差を通過するように、前記イオンを加速するように配置および適合される請求項８から１５のいずれかに記載の質量分析計。
【請求項１７】
前記加速手段が、イオンを前記フラグメンテーションデバイス中へ加速および／または減速するように配置および適合される先行する請求項のいずれかに記載の質量分析計。
【請求項１８】
前記イオン移動度分光計またはセパレータが、気相電気泳動デバイスを含む先行する請求項のいずれかに記載の質量分析計。
【請求項１９】
前記イオン移動度分光計またはセパレータが、ドリフトチューブと、前記ドリフトチューブの少なくとも一部に沿って軸方向ＤＣ電圧勾配を維持するための１つ以上の電極とを含む先行する請求項のいずれかに記載の質量分析計。
【請求項２０】
前記ドリフトチューブの少なくとも一部に沿って、軸方向ＤＣ電圧勾配を維持するための手段をさらに含む請求項１９に記載の質量分析計。
【請求項２１】
前記イオン移動度分光計またはセパレータが、１つ以上の多重極ロッドセットを含む先行する請求項のいずれかに記載の質量分析計。
【請求項２２】
前記イオン移動度分光計またはセパレータが、１つ以上の四重極、六重極、八重極またはより高次のロッドセットを含む請求項２１に記載の質量分析計。
【請求項２３】
前記１つ以上の多重極ロッドセットが、軸方向にセグメント化されるか、または複数の軸方向セグメントを含む請求項２１または２２に記載の質量分析計。
【請求項２４】
前記イオン移動度分光計またはセパレータが、複数の電極を含む先行する請求項のいずれかに記載の質量分析計。
【請求項２５】
前記イオン移動度分光計またはセパレータが、少なくとも１０、２０、３０、４０、５０、６０、７０、８０、９０または１００の電極を含む請求項２４に記載の質量分析計。
【請求項２６】
前記イオン移動度分光計またはセパレータの前記電極の少なくとも５％、１０％、１５％、２０％、２５％、３０％、３５％、４０％、４５％、５０％、５５％、６０％、６５％、７０％、７５％、８０％、８５％、９０％、９５％または１００％が、使用時にイオンが通るアパーチャを有する請求項２４または２５に記載の質量分析計。
【請求項２７】
前記イオン移動度分光計またはセパレータの前記電極の少なくとも５％、１０％、１５％、２０％、２５％、３０％、３５％、４０％、４５％、５０％、５５％、６０％、６５％、７０％、７５％、８０％、８５％、９０％、９５％または１００％が、実質的に同じサイズまたは面積のアパーチャを有する請求項２４、２５または２６に記載の質量分析計。
【請求項２８】
前記イオン移動度分光計またはセパレータの前記電極の少なくとも５％、１０％、１５％、２０％、２５％、３０％、３５％、４０％、４５％、５０％、５５％、６０％、６５％、７０％、７５％、８０％、８５％、９０％、９５％または１００％が、前記イオンガイドまたはイオントラップの軸に沿った方向にサイズまたは面積が漸進的により大きくおよび／またはより小さくなるアパーチャを有する請求項２４、２５または２６に記載の質量分析計。
【請求項２９】
前記イオン移動度分光計またはセパレータの前記電極の少なくとも５％、１０％、１５％、２０％、２５％、３０％、３５％、４０％、４５％、５０％、５５％、６０％、６５％、７０％、７５％、８０％、８５％、９０％、９５％または１００％が、（ｉ）≦１．０ｍｍ、（ｉｉ）≦２．０ｍｍ、（ｉｉｉ）≦３．０ｍｍ、（ｉｖ）≦４．０ｍｍ、（ｖ）≦５．０ｍｍ、（ｖｉ）≦６．０ｍｍ、（ｖｉｉ）≦７．０ｍｍ、（ｖｉｉｉ）≦８．０ｍｍ、（ｉｘ）≦９．０ｍｍ、（ｘ）≦１０．０ｍｍ、および（ｘｉ）＞１０．０ｍｍからなる群から選択される内径または内寸法を有するアパーチャを有する請求項２４から２８のいずれかに記載の質量分析計。
【請求項３０】
前記イオン移動度分光計またはセパレータが、複数のプレートまたはメッシュ電極を含み、前記プレートまたはメッシュ電極の少なくともいくつかが、使用時にイオンが走行する平面内に概ね配置される先行する請求項のいずれかに記載の質量分析計。
【請求項３１】
前記イオン移動度分光計またはセパレータが、複数のプレートまたはメッシュ電極を含み、前記プレートまたはメッシュ電極の少なくとも５０％、５５％、６０％、６５％、７０％、７５％、８０％、８５％、９０％、９５％または１００％が、使用時にイオンが走行する平面内に概ね配置される先行する請求項のいずれかに記載の質量分析計。
【請求項３２】
前記イオン移動度分光計またはセパレータが、少なくとも２、３、４、５、６、７、８、９、１０、１１、１２、１３、１４、１５、１６、１７、１８、１９、２０または＞２０のプレートまたはメッシュ電極を含む請求項３０または３１に記載の質量分析計。
【請求項３３】
前記プレートまたはメッシュ電極は、前記イオン移動度分光計またはセパレータ内にイオンを閉じ込めるために、ＡＣまたはＲＦ電圧が供給される請求項３０、３１または３２に記載の質量分析計。
【請求項３４】
隣接するプレートまたはメッシュ電極は、前記ＡＣまたはＲＦ電圧の逆相が供給される請求項３３に記載の質量分析計。
【請求項３５】
前記イオン移動度分光計またはセパレータが、複数の軸方向セグメントを含む請求項３０から３４のいずれかに記載の質量分析計。
【請求項３６】
前記イオン移動度分光計またはセパレータが、少なくとも５、１０、１５、２０、２５、３０、３５、４０、４５、５０、５５、６０、６５、７０、７５、８０、８５、９０、９５または１００の軸方向セグメントを含む請求項３５に記載の質量分析計。
【請求項３７】
前記イオン移動度分光計またはセパレータの軸方向長さの少なくとも一部に沿って、実質的に一定のＤＣ電圧勾配を維持するためのＤＣ電圧手段をさらに含む、先行する請求項のいずれかに記載の質量分析計。
【請求項３８】
前記ＤＣ電圧手段が、前記イオン移動度分光計またはセパレータの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って実質的に一定のＤＣ電圧勾配を維持するように配置および適合される請求項３７に記載の質量分析計。
【請求項３９】
前記イオン移動度分光計またはセパレータの軸方向長さの少なくとも一部に沿って少なくともいくつかのイオンを駆動するために、１つ以上の過渡ＤＣ電圧または１つ以上の過渡ＤＣ電圧波形を、前記イオン移動度分光計またはセパレータを形成する電極に印加するように、配置および適合される過渡ＤＣ電圧手段をさらに含む先行する請求項のいずれかに記載の質量分析計。
【請求項４０】
前記過渡ＤＣ電圧手段が、前記イオン移動度分光計またはセパレータの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って、１つ以上の過渡ＤＣ電圧または１つ以上の過渡ＤＣ電圧波形を電極に印加するように配置および適合される請求項３９に記載の質量分析計。
【請求項４１】
前記イオン移動度分光計またはセパレータの軸方向長さの少なくとも一部に沿って少なくともいくつかのイオンを駆動するために、２つ以上の位相シフトＡＣまたはＲＦ電圧を、前記イオン移動度分光計またはセパレータを形成する電極に印加するように、配置および適合されるＡＣまたはＲＦ電圧手段をさらに含む先行する請求項のいずれかに記載の質量分析計。
【請求項４２】
前記ＡＣまたはＲＦ電圧手段が、前記イオン移動度分光計またはセパレータの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って、１つ以上のＡＣまたはＲＦ電圧を電極に印加するように、配置および適合される請求項４１に記載の質量分析計。
【請求項４３】
前記イオン移動度分光計またはセパレータが、複数の電極を含み、
前記質量分析計が、イオンを前記イオン移動度分光計もしくはセパレータ内に半径方向にまたは前記イオン移動度分光計もしくはセパレータの中心軸の回りに閉じ込めるために、前記イオン移動度分光計またはセパレータの前記複数の電極の少なくとも５％、１０％、２０％、３０％、４０％、５０％、６０％、７０％、８０％、９０％、９５％または１００％にＡＣまたはＲＦ電圧を印加するように配置および適合されるＡＣまたはＲＦ電圧手段をさらに含む、先行する請求項のいずれかに記載の質量分析計。
【請求項４４】
前記ＡＣまたはＲＦ電圧手段が、（ｉ）＜５０Ｖピークからピーク、（ｉｉ）５０〜１００Ｖピークからピーク、（ｉｉｉ）１００〜１５０Ｖピークからピーク、（ｉｖ）１５０〜２００Ｖピークからピーク、（ｖ）２００〜２５０Ｖピークからピーク、（ｖｉ）２５０〜３００Ｖピークからピーク、（ｖｉｉ）３００〜３５０Ｖピークからピーク、（ｖｉｉｉ）３５０〜４００Ｖピークからピーク、（ｉｘ）４００〜４５０Ｖピークからピーク、（ｘ）４５０〜５００Ｖピークからピーク、および（ｘｉ）＞５００Ｖピークからピーク、からなる群から選択される振幅を有するＡＣまたはＲＦ電圧を前記イオン移動度分光計またはセパレータの前記複数の電極に供給するように配置および適合される請求項４３に記載の質量分析計。
【請求項４５】
前記ＡＣまたはＲＦ電圧手段が、（ｉ）＜１００ｋＨｚ、（ｉｉ）１００〜２００ｋＨｚ、（ｉｉｉ）２００〜３００ｋＨｚ、（ｉｖ）３００〜４００ｋＨｚ、（ｖ）４００〜５００ｋＨｚ、（ｖｉ）０．５〜１．０ＭＨｚ、（ｖｉｉ）１．０〜１．５ＭＨｚ、（ｖｉｉｉ）１．５〜２．０ＭＨｚ、（ｉｘ）２．０〜２．５ＭＨｚ、（ｘ）２．５〜３．０ＭＨｚ、（ｘｉ）３．０〜３．５ＭＨｚ、（ｘｉｉ）３．５〜４．０ＭＨｚ、（ｘｉｉｉ）４．０〜４．５ＭＨｚ、（ｘｉｖ）４．５〜５．０ＭＨｚ、（ｘｖ）５．０〜５．５ＭＨｚ、（ｘｖｉ）５．５〜６．０ＭＨｚ、（ｘｖｉｉ）６．０〜６．５ＭＨｚ、（ｘｖｉｉｉ）６．５〜７．０ＭＨｚ、（ｘｉｘ）７．０〜７．５ＭＨｚ、（ｘｘ）７．５〜８．０ＭＨｚ、（ｘｘｉ）８．０〜８．５ＭＨｚ、（ｘｘｉｉ）８．５〜９．０ＭＨｚ、（ｘｘｉｉｉ）９．０〜９．５ＭＨｚ、（ｘｘｉｖ）９．５〜１０．０ＭＨｚ、および（ｘｘｖ）＞１０．０ＭＨｚからなる群から選択される周波数を有するＡＣまたはＲＦ電圧を前記イオン移動度分光計またはセパレータの前記複数の電極に供給するように配置および適合される請求項４３または４４に記載の質量分析計。
【請求項４６】
前記イオン移動度分光計またはセパレータの少なくとも一部を（ｉ）＞０．００１ｍｂａｒ、（ｉｉ）＞０．０１ｍｂａｒ、（ｉｉｉ）＞０．１ｍｂａｒ、（ｉｖ）＞１ｍｂａｒ、（ｖ）＞１０ｍｂａｒ、（ｖｉ）＞１００ｍｂａｒ、（ｖｉｉ）０．００１〜１００ｍｂａｒ、（ｖｉｉｉ）０．０１〜１０ｍｂａｒ、および（ｉｘ）０．１〜１ｍｂａｒからなる群から選択される圧力に維持するように配置および適合される手段をさらに含む、先行する請求項のいずれかに記載の質量分析計。
【請求項４７】
前記イオン移動度分光計またはセパレータから現れるイオンを、前記フラグメンテーションデバイスへまたは中へガイドまたは移送するために、前記イオン移動度分光計またはセパレータと前記フラグメンテーションデバイスとの間に配置されたイオンガイドまたは移送手段をさらに含む先行する請求項のいずれかに記載の質量分析計。
【請求項４８】
前記フラグメンテーションデバイスが、衝突またはフラグメンテーションセルを含む先行する請求項のいずれかに記載の質量分析計。
【請求項４９】
前記衝突またはフラグメンテーションセルが、衝突誘起解離（「ＣＩＤ」）によってイオンをフラグメンテーションするように配置される請求項４８に記載の質量分析計。
【請求項５０】
前記衝突またはフラグメンテーションセルが、イオンが前記衝突またはフラグメンテーションセルに入射できるようにするための上流開口と、イオンが前記衝突またはフラグメンテーションセルから出射できるようにするための下流開口とを有するハウジングを含む請求項４８または４９に記載の質量分析計。
【請求項５１】
前記フラグメンテーションデバイスが、多重極ロッドセットを含む先行する請求項のいずれかに記載の質量分析計。
【請求項５２】
前記フラグメンテーションデバイスが、四重極、六重極、八重極またはより高次のロッドセットを含む請求項５１に記載の質量分析計。
【請求項５３】
前記多重極ロッドセットが、軸方向にセグメント化される請求項５１または５２に記載の質量分析計。
【請求項５４】
前記フラグメンテーションデバイスが、複数の電極を含む先行する請求項のいずれかに記載の質量分析計。
【請求項５５】
前記フラグメンテーションデバイスが、少なくとも１０、２０、３０、４０、５０、６０、７０、８０、９０または１００の電極を含む請求項５４に記載の質量分析計。
【請求項５６】
前記フラグメンテーションデバイスの前記電極の少なくとも５％、１０％、１５％、２０％、２５％、３０％、３５％、４０％、４５％、５０％、５５％、６０％、６５％、７０％、７５％、８０％、８５％、９０％、９５％または１００％が、使用時にイオンが通るアパーチャを有する請求項５４または５５に記載の質量分析計。
【請求項５７】
前記フラグメンテーションデバイスの前記電極の少なくとも５％、１０％、１５％、２０％、２５％、３０％、３５％、４０％、４５％、５０％、５５％、６０％、６５％、７０％、７５％、８０％、８５％、９０％、９５％または１００％が、実質的に同じサイズまたは面積のアパーチャを有する請求項５４、５５または５６に記載の質量分析計。
【請求項５８】
前記フラグメンテーションデバイスの前記電極の少なくとも５％、１０％、２０％、３０％、４０％、５０％、６０％、７０％、８０％、９０％、９５％または１００％が、前記フラグメンテーションデバイスの軸に沿った方向にサイズまたは面積が漸進的により大きくおよび／またはより小さくなるアパーチャを有する請求項５４、５５または５６に記載の質量分析計。
【請求項５９】
前記フラグメンテーションデバイスの前記電極の少なくとも５％、１０％、２０％、３０％、４０％、５０％、６０％、７０％、８０％、９０％、９５％または１００％が、（ｉ）≦１．０ｍｍ、（ｉｉ）≦２．０ｍｍ、（ｉｉｉ）≦３．０ｍｍ、（ｉｖ）≦４．０ｍｍ、（ｖ）≦５．０ｍｍ、（ｖｉ）≦６．０ｍｍ、（ｖｉｉ）≦７．０ｍｍ、（ｖｉｉｉ）≦８．０ｍｍ、（ｉｘ）≦９．０ｍｍ、（ｘ）≦１０．０ｍｍ、および（ｘｉ）＞１０．０ｍｍからなる群から選択される内径または内寸法を有するアパーチャを有する請求項５４から５８のいずれかに記載の質量分析計。
【請求項６０】
前記フラグメンテーションデバイスが、複数のプレートまたはメッシュ電極を含み、前記プレートまたはメッシュ電極の少なくともいくつかが、使用時にイオンが走行する平面内に概ね配置される先行する請求項のいずれかに記載の質量分析計。
【請求項６１】
前記フラグメンテーションデバイスが、複数のプレートまたはメッシュ電極を含み、前記プレートまたはメッシュ電極の少なくとも５０％、５５％、６０％、６５％、７０％、７５％、８０％、８５％、９０％、９５％または１００％が、使用時にイオンが走行する平面内に概ね配置される先行する請求項のいずれかに記載の質量分析計。
【請求項６２】
前記フラグメンテーションデバイスが、少なくとも２、３、４、５、６、７、８、９、１０、１１、１２、１３、１４、１５、１６、１７、１８、１９、２０または＞２０のプレートまたはメッシュ電極を含む請求項６０または６１に記載の質量分析計。
【請求項６３】
前記プレートまたはメッシュ電極は、前記フラグメンテーションデバイス内にイオンを閉じ込めるためにＡＣまたはＲＦ電圧が供給される請求項６０、６１または６２に記載の質量分析計。
【請求項６４】
隣接するプレートまたはメッシュ電極は、前記ＡＣまたはＲＦ電圧の逆相が供給される請求項６３に記載の質量分析計。
【請求項６５】
前記フラグメンテーションデバイスが、複数の軸方向セグメントを含む請求項６０から６４のいずれかに記載の質量分析計。
【請求項６６】
前記フラグメンテーションデバイスが、少なくとも５、１０、１５、２０、２５、３０、３５、４０、４５、５０、５５、６０、６５、７０、７５、８０、８５、９０、９５または１００の軸方向セグメントを含む請求項６５に記載の質量分析計。
【請求項６７】
前記フラグメンテーションデバイスの軸方向長さの少なくとも一部に沿って実質的に一定のＤＣ電圧勾配を維持するためのＤＣ電圧手段をさらに含む、先行する請求項のいずれかに記載の質量分析計。
【請求項６８】
前記ＤＣ電圧手段が、前記フラグメンテーションデバイスの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って実質的に一定のＤＣ電圧勾配を維持するように、配置および適合される請求項６７に記載の質量分析計。
【請求項６９】
前記フラグメンテーションデバイスの軸方向長さの少なくとも一部に沿って少なくともいくつかのイオンを駆動するために、１つ以上の過渡ＤＣ電圧または１つ以上の過渡ＤＣ電圧波形を、前記フラグメンテーションデバイスを形成する電極に印加するように配置および適合される過渡ＤＣ電圧手段をさらに含む、先行する請求項のいずれかに記載の質量分析計。
【請求項７０】
前記過渡ＤＣ電圧手段が、前記フラグメンテーションデバイスの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って、１つ以上の過渡ＤＣ電圧または１つ以上の過渡ＤＣ電圧波形を電極に印加するように配置および適合される請求項６９に記載の質量分析計。
【請求項７１】
前記フラグメンテーションデバイスの軸方向長さの少なくとも一部に沿って少なくともいくつかのイオンを駆動するために、２つ以上の位相シフトＡＣまたはＲＦ電圧を、前記フラグメンテーションデバイスを形成する電極に印加するように配置および適合されるＡＣまたはＲＦ電圧手段をさらに含む、先行する請求項のいずれかに記載の質量分析計。
【請求項７２】
前記ＡＣまたはＲＦ電圧手段が、前記フラグメンテーションデバイスの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って、１つ以上のＡＣまたはＲＦ電圧を電極に印加するように配置および適合される請求項７１に記載の質量分析計。
【請求項７３】
前記フラグメンテーションデバイスが、複数の電極を含み、
前記質量分析計が、イオンを前記フラグメンテーションデバイス内に半径方向にまたは前記フラグメンテーションデバイスの中心軸の回りに閉じ込めるために、前記フラグメンテーションデバイスの前記複数の電極の少なくとも１％、５％、１０％、２０％、３０％、４０％、５０％、６０％、７０％、８０％、９０％、９５％または１００％にＡＣまたはＲＦ電圧を印加するように配置および適合されるＡＣまたはＲＦ電圧手段をさらに含む、先行する請求項のいずれかに記載の質量分析計。
【請求項７４】
前記ＡＣまたはＲＦ電圧手段が、（ｉ）＜５０Ｖピークからピーク、（ｉｉ）５０〜１００Ｖピークからピーク、（ｉｉｉ）１００〜１５０Ｖピークからピーク、（ｉｖ）１５０〜２００Ｖピークからピーク、（ｖ）２００〜２５０Ｖピークからピーク、（ｖｉ）２５０〜３００Ｖピークからピーク、（ｖｉｉ）３００〜３５０Ｖピークからピーク、（ｖｉｉｉ）３５０〜４００Ｖピークからピーク、（ｉｘ）４００〜４５０Ｖピークからピーク、（ｘ）４５０〜５００Ｖピークからピーク、および（ｘｉ）＞５００Ｖピークからピーク、からなる群から選択される振幅を有するＡＣまたはＲＦ電圧を前記フラグメンテーションデバイスの前記複数の電極に供給するように配置および適合される、請求項７３に記載の質量分析計。
【請求項７５】
前記ＡＣまたはＲＦ電圧手段が、（ｉ）＜１００ｋＨｚ、（ｉｉ）１００〜２００ｋＨｚ、（ｉｉｉ）２００〜３００ｋＨｚ、（ｉｖ）３００〜４００ｋＨｚ、（ｖ）４００〜５００ｋＨｚ、（ｖｉ）０．５〜１．０ＭＨｚ、（ｖｉｉ）１．０〜１．５ＭＨｚ、（ｖｉｉｉ）１．５〜２．０ＭＨｚ、（ｉｘ）２．０〜２．５ＭＨｚ、（ｘ）２．５〜３．０ＭＨｚ、（ｘｉ）３．０〜３．５ＭＨｚ、（ｘｉｉ）３．５〜４．０ＭＨｚ、（ｘｉｉｉ）４．０〜４．５ＭＨｚ、（ｘｉｖ）４．５〜５．０ＭＨｚ、（ｘｖ）５．０〜５．５ＭＨｚ、（ｘｖｉ）５．５〜６．０ＭＨｚ、（ｘｖｉｉ）６．０〜６．５ＭＨｚ、（ｘｖｉｉｉ）６．５〜７．０ＭＨｚ、（ｘｉｘ）７．０〜７．５ＭＨｚ、（ｘｘ）７．５〜８．０ＭＨｚ、（ｘｘｉ）８．０〜８．５ＭＨｚ、（ｘｘｉｉ）８．５〜９．０ＭＨｚ、（ｘｘｉｉｉ）９．０〜９．５ＭＨｚ、（ｘｘｉｖ）９．５〜１０．０ＭＨｚ、および（ｘｘｖ）＞１０．０ＭＨｚからなる群から選択される周波数を有するＡＣまたはＲＦ電圧を前記フラグメンテーションデバイスの前記複数の電極に供給するように配置および適合される請求項７３または７４に記載の質量分析計。
【請求項７６】
前記フラグメンテーションデバイスが、イオンを表面誘起解離（「ＳＩＤ」）によってフラグメンテーションするように配置および適合される請求項１から４８のいずれかに記載の質量分析計。
【請求項７７】
前記フラグメンテーションデバイスの少なくとも一部を（ｉ）＞０．０００１ｍｂａｒ、（ｉｉ）＞０．００１ｍｂａｒ、（ｉｉｉ）＞０．０１ｍｂａｒ、（ｉｖ）＞０．１ｍｂａｒ、（ｖ）＞１ｍｂａｒ、（ｖｉ）＞１０ｍｂａｒ、（ｖｉｉ）０．０００１〜０．１ｍｂａｒ、および（ｖｉｉｉ）０．００１〜０．０１ｍｂａｒからなる群から選択される圧力に維持するように配置および適合される手段をさらに含む、先行する請求項のいずれかに記載の質量分析計。
【請求項７８】
ある動作モードにおいて、前記イオン移動度分光計またはセパレータの上流でイオンをトラップし、かつ１パルスのイオンを前記イオン移動度分光計またはセパレータへ進ませるかまたは移送するように配置および適合される手段をさらに含む、先行する請求項のいずれかに記載の質量分析計。
【請求項７９】
前記フラグメンテーションデバイスを、イオンが実質的にフラグメンテーションされる第１の動作モードとフラグメンテーションされるイオンが実質的により少ないかまたは全くない第２の動作モードとの間で、切り換えるかまたは繰り返し切り換えるように配置および適合される制御システムをさらに含む、先行する請求項のいずれかに記載の質量分析計。
【請求項８０】
前記第１の動作モードにおいて、前記イオン移動度分光計またはセパレータに存在するイオンが、（ｉ）≧１０Ｖ、（ｉｉ）≧２０Ｖ、（ｉｉｉ）≧３０Ｖ、（ｉｖ）≧４０Ｖ、（ｖ）≧５０Ｖ、（ｖｉ）≧６０Ｖ、（ｖｉｉ）≧７０Ｖ、（ｖｉｉｉ）≧８０Ｖ、（ｉｘ）≧９０Ｖ、（ｘ）≧１００Ｖ、（ｘｉ）≧１１０Ｖ、（ｘｉｉ）≧１２０Ｖ、（ｘｉｉｉ）≧１３０Ｖ、（ｘｉｖ）≧１４０Ｖ、（ｘｖ）≧１５０Ｖ、（ｘｖｉ）≧１６０Ｖ、（ｘｖｉｉ）≧１７０Ｖ、（ｘｖｉｉｉ）≧１８０Ｖ、（ｘｉｘ）≧１９０Ｖ、および（ｘｘ）≧２００Ｖからなる群から選択されるポテンシャル差を通して加速される請求項７９に記載の質量分析計。
【請求項８１】
前記第２の動作モードにおいて、前記イオン移動度分光計またはセパレータに存在するイオンが、（ｉ）≦２０Ｖ、（ｉｉ）≦１５Ｖ、（ｉｉｉ）≦１０Ｖ、（ｉｖ）≦５Ｖ、および（ｖ）≦１Ｖからなる群から選択されるポテンシャル差を通して加速される請求項７９または８０に記載の質量分析計。
【請求項８２】
前記制御システムが、１ミリ秒、５ミリ秒、１０ミリ秒、１５ミリ秒、２０ミリ秒、２５ミリ秒、３０ミリ秒、３５ミリ秒、４０ミリ秒、４５ミリ秒、５０ミリ秒、５５ミリ秒、６０ミリ秒、６５ミリ秒、７０ミリ秒、７５ミリ秒、８０ミリ秒、８５ミリ秒、９０ミリ秒、９５ミリ秒、１００ミリ秒、２００ミリ秒、３００ミリ秒、４００ミリ秒、５００ミリ秒、６００ミリ秒、７００ミリ秒、８００ミリ秒、９００ミリ秒、１秒、２秒、３秒、４秒、５秒、６秒、７秒、８秒、９秒または１０秒ごとに少なくとも１回、前記フラグメンテーションデバイスを前記第１の動作モードと前記第２の動作モードとの間で切り換えるように配置および適合される、請求項７９、８０または８１のいずれかに記載の質量分析計。
【請求項８３】
イオン源をさらに含む、先行する請求項のいずれかに記載の質量分析計。
【請求項８４】
前記イオン源が、（ｉ）エレクトロスプレーイオン化（「ＥＳＩ」）イオン源、（ｉｉ）大気圧光イオン化（「ＡＰＰＩ」）イオン源、（ｉｉｉ）大気圧化学イオン化（「ＡＰＣＩ」）イオン源、（ｉｖ）マトリックス支援レーザ脱離イオン化（「ＭＡＬＤＩ」）イオン源、（ｖ）レーザ脱離イオン化（「ＬＤＩ」）イオン源、（ｖｉ）大気圧イオン化（「ＡＰＩ」）イオン源、（ｖｉｉ）シリコンを用いた脱離イオン化（「ＤＩＯＳ」）イオン源、（ｖｉｉｉ）電子衝突（「ＥＩ」）イオン源、（ｉｘ）化学イオン化（「ＣＩ」）イオン源、（ｘ）電界イオン化（「ＦＩ」）イオン源、（ｘｉ）電界脱離（「ＦＤ」）イオン源、（ｘｉｉ）誘導結合プラズマ（「ＩＣＰ」）イオン源、（ｘｉｉｉ）高速原子衝撃（「ＦＡＢ」）イオン源、（ｘｉｖ）液体二次イオン質量分析（「ＬＳＩＭＳ」）イオン源、（ｘｖ）脱離エレクトロスプレーイオン化（「ＤＥＳＩ」）イオン源、（ｘｖｉ）ニッケル−６３放射性イオン源、および（ｘｖｉｉ）大気圧マトリックス支援レーザ脱離イオン化イオン源からなる群から選択される請求項８３に記載の質量分析計。
【請求項８５】
前記イオン源が、パルス化または連続イオン源を含む請求項８３または８４に記載の質量分析計。
【請求項８６】
前記フラグメンテーションデバイスの下流に配置された質量分析器をさらに含む、先行する請求項のいずれかに記載の質量分析計。
【請求項８７】
前記質量分析器が、（ｉ）フーリエ変換（「ＦＴ」）質量分析器、（ｉｉ）フーリエ変換イオンサイクロトロン共鳴（「ＦＴＩＣＲ」）質量分析器、（ｉｉｉ）飛行時間（「ＴＯＦ」）質量分析器、（ｉｖ）直交加速度飛行時間（「ｏａＴＯＦ」）質量分析器、（ｖ）軸方向加速度飛行時間質量分析器、（ｖｉ）扇形磁場質量分析計、（ｖｉｉ）ポールまたは３Ｄ四重極質量分析器、（ｖｉｉｉ）２Ｄまたは直線四重極質量分析器、（ｉｘ）ペニングトラップ質量分析器、（ｘ）イオントラップ質量分析器、（ｘｉ）フーリエ変換オービトラップ、（ｘｉｉ）静電フーリエ変換質量分析計、および（ｘｉｉｉ）四重極質量分析器からなる群から選択される請求項８６に記載の質量分析計。
【請求項８８】
前記イオン移動度分光計またはセパレータの上流に配置された１つ以上の質量もしくは質量対電荷比フィルタおよび／または分析器をさらに含む、先行する請求項のいずれかに記載の質量分析計。
【請求項８９】
前記１つ以上の質量もしくは質量対電荷比フィルタおよび／または分析器が、（ｉ）四重極質量フィルタまたは分析器、（ｉｉ）ウィーンフィルタ、（ｉｉｉ）扇形磁場質量フィルタまたは分析器、（ｉｖ）速度フィルタ、および（ｖ）イオンゲートからなる群から選択される請求項８８に記載の質量分析計。
【請求項９０】
質量分析の方法であって、
イオン移動度分光計またはセパレータにおいて、イオンを、そのイオン移動度にしたがって分離するステップと、
時刻ｔ1に前記イオン移動度分光計またはセパレータから現れる第１のイオンを第１の運動エネルギーＥ1を得るよう加速するステップと、
時刻ｔ1より後の第２の時刻ｔ2に前記イオン移動度分光計またはセパレータから現れる第２の異なるイオンを第２の異なる運動エネルギーＥ2を得るように加速するステップと、
フラグメンテーションデバイスにおいて前記第１および第２のイオンをフラグメンテーションするステップと
を含む方法。
【請求項９１】
質量分析の方法であって、
イオン移動度分光計またはセパレータにおいて、イオンを、そのイオン移動度にしたがって分離するステップと、
時刻ｔ1に前記イオン移動度分光計またはセパレータから現れる第１のイオンを第１のポテンシャル差Ｖ1を通して加速するステップと、
時刻ｔ1より後の第２の時刻ｔ2に前記イオン移動度分光計またはセパレータから現れる第２の異なるイオンを第２の異なるポテンシャル差Ｖ2を通して加速するステップと、
フラグメンテーションデバイスにおいて前記第１および第２のイオンをフラグメンテーションするステップと
を含む方法。
【発明の詳細な説明】
【技術分野】
【０００１】
本発明は、質量分析計および質量分析の方法に関する。
【背景技術】
【０００２】
従来のハイブリッド四重極飛行時間質量分析計の大多数は、四重極質量フィルタ、その四重極質量フィルタの下流に配置されたフラグメンテーションセル、およびそのフラグメンテーションセルの下流に配置された飛行時間質量分析器を含む。この質量分析計は、従来、飛行時間（ＴＯＦ）データセットを問い合わせることによって、候補の親または前駆体イオンが特定されるデータ指向分析（ＤＤＡ）型実験のために使用される。次いで、特定の質量対電荷比を有する親または前駆体イオンは四重極質量フィルタによって選択的に移送されるように構成され、他方他のイオンはその質量フィルタによって実質的に減衰される。四重極質量フィルタによって移送された、選択された親または前駆体イオンはフラグメンテーションセルに移送され、フラグメントまたは娘イオンにフラグメンテーションされる。次いで、フラグメントまたは娘イオンは質量分析され、フラグメントまたは娘イオンの質量分析は、その親または前駆体イオンについてのさらなる構造情報を生み出す。
【０００３】
親または前駆体イオンのフラグメンテーションは、衝突誘起解離（「ＣＩＤ」）として公知のプロセスによって一般に実現される。イオンはフラグメンテーションセル中へ加速され、フラグメンテーションセル内に維持された衝突ガスに激しく衝突する際にフラグメンテーションされる。一旦十分なフラグメントイオン質量スペクトルデータが得られると、次いで質量フィルタが異なる質量対電荷比を有する異なる親または前駆体イオンを選択するように設定され得る。次いで、このプロセスは複数回繰り返され得る。このアプローチによって総実験デューティサイクルが低減できることが理解される。
【０００４】
特定の質量対電荷比を有する親または前駆体イオンを選択するステップを行わないことによって実験デューティサイクルを増加することは公知である。この公知方法は、特定の親または前駆体イオンを選択することなく、その代わりに、衝突またはフラグメンテーションセルをフラグメンテーション動作モードと非フラグメンテーション動作モードとの間で交互に繰り返し切り換える。
【０００５】
この公知アプローチは、理想的には前駆体または親イオンだけに関連する第１のデータセット（非フラグメンテーション動作モードにおいて）およびフラグメントイオンだけに関連する第２のデータセット（フラグメンテーション動作モードにおいて）を生成する。ソフトウェアアルゴリズムを使用して親イオン質量スペクトル中に見られる個々の親または前駆体イオンをフラグメントイオン質量スペクトル中に見られる対応のフラグメントイオンと照合し得る。この公知アプローチは、上記の直列プロセスとは違って本質的に並列プロセスであり、総実験デューティサイクルにおいてその分増加が生じ得る。
【０００６】
この公知アプローチに関連する問題は、フラグメンテーション動作モードにおいて同時にフラグメンテーションされる前駆体または親イオンが特定のものではなく、したがって異なる質量対電荷比および電荷状態を有する広範囲のイオンが同時にフラグメンテーションされるよう図られることである。ある親または前駆体イオンに対する最適なフラグメンテーションエネルギーはフラグメンテーションの対象となるそのイオンの質量対電荷比およびそのイオンの電荷状態の両方に依存するので、同時にフラグメンテーションされることが望まれるすべての親または前駆体イオンに対して最適となるような１つのフラグメンテーションエネルギーは存在しない。したがって、最適な方法でフラグメンテーションされない親または前駆体イオンがあり得、実際には全くフラグメンテーションされない親または前駆体イオンがあり得る可能性がある。
【発明の開示】
【発明が解決しようとする課題】
【０００７】
フラグメンテーションエネルギーを獲得期間中に漸進的に傾斜または段階的に増加して、獲得期間の少なくとも一部が異なる親または前駆体イオンに対する最適なフラグメンテーションエネルギーにおいてまたはその近くで費やされることを確実にし得ることが考えられ得る。しかし、このアプローチが採用されたならば、獲得時間の著しい割合が非最適なフラグメンテーションエネルギーを得る親または前駆体イオンにも費やされるであろう。その結果、フラグメントイオン質量スペクトルにおけるフラグメントイオンの強度は比較的低いままとなる可能性がある。フラグメンテーション動作モード中にフラグメンテーションエネルギーの段階または傾斜的な増加を図ることの別の結果は、親または前駆体イオンの一部がそのまま残り、したがってこれらの親または前駆体イオンが本来はフラグメントイオンのみに関連するはずのデータセット中に見られるという欠点がある。
【課題を解決するための手段】
【０００８】
本発明の一態様によると、イオンをそのイオン移動度にしたがって分離するように配置および適合されるイオン移動度分光計またはセパレータと、
時刻ｔ1に前記イオン移動度分光計またはセパレータから現れる第１のイオンを第１の運動エネルギーＥ1を得るように加速し、時刻ｔ1より後の第２の時刻ｔ2に前記イオン移動度分光計またはセパレータから現れる第２の異なるイオンを第２の異なる運動エネルギーＥ2を得るように加速するように配置および適合される加速手段と、
前記加速手段によって加速されたイオンを受け取るように配置されるフラグメンテーションデバイスと
を含む質量分析計が提供される。
【発明を実施するための最良の形態】
【０００９】
第１および第２イオンは、好ましくは実質的に異なる質量対電荷比を有するが、好ましくは同じ電荷状態を有する。
【００１０】
加速手段は、好ましくはイオンがイオン移動度分光計またはセパレータからフラグメンテーションデバイスへと進む際にイオンが得る運動エネルギーを変更および／または変化および／または走査するように配置および適合される。加速手段は、好ましくは実質的に連続的および／または直線的および／または漸進的および／または規則的な方法で、イオンがイオン移動度分光計またはセパレータからフラグメンテーションデバイスへと進む際にイオンが得る運動エネルギーを変更および／または変化および／または走査するように配置および適合される。あるいは、加速手段は、実質的に非連続的および／または非直線的および／または段階的な方法でイオンがイオン移動度分光計またはセパレータからフラグメンテーションデバイスへと進む際にイオンが得る運動エネルギーを変更および／または変化および／または走査するように配置および適合され得る。
【００１１】
上記好ましい実施形態によると、Ｅ2＞Ｅ1である。
【００１２】
加速手段は、好ましくはイオンがイオン移動度分光計またはセパレータからフラグメンテーションデバイスへ移送される際にイオンが得る運動エネルギーを時間とともに漸進的に増加するように配置および適合される。好ましくは、加速手段は、イオンがフラグメンテーションデバイスに入射する際にフラグメンテーションのための実質的に最適な運動エネルギーを得るようにイオンを加速するように配置および適合される。
【００１３】
本発明の一態様によると、イオンをそのイオン移動度にしたがって分離するように配置および適合されるイオン移動度分光計またはセパレータと、
時刻ｔ1に前記イオン移動度分光計またはセパレータから現れる第１のイオンを第１のポテンシャル差Ｖ1を通して加速し、時刻ｔ1より後の第２の時刻ｔ2に前記イオン移動度分光計またはセパレータから現れる第２の異なるイオンを第２の異なるポテンシャル差Ｖ2を通して加速するように配置および適合される加速手段と、
前記加速手段によって加速されたイオンを受け取るように配置されるフラグメンテーションデバイスと
を含む質量分析計が提供される。
【００１４】
第１および第２イオンは、好ましくは実質的に異なる質量対電荷比を有するが、好ましくは同じ電荷状態を有する。
【００１５】
加速手段は、好ましくはイオンがイオン移動度分光計またはセパレータからフラグメンテーションデバイスへと進む際にイオンが通過するポテンシャル差を変更および／または変化および／または走査するように配置および適合される。加速手段は、好ましくは実質的に連続的および／または直線的および／または漸進的および／または規則的な方法でイオンがイオン移動度分光計またはセパレータからフラグメンテーションデバイスへと進む際にイオンが通過するポテンシャル差を変更および／または変化および／または走査するように配置および適合される。あるいは、加速手段は、実質的に非連続的および／または非直線的および／または段階的な方法でイオンがイオン移動度分光計またはセパレータからフラグメンテーションデバイスへと進む際にイオンが通過するポテンシャル差を変更および／または変化および／または走査するように配置および適合され得る。
【００１６】
上記好ましい実施形態によると、Ｖ2＞Ｖ1である。
【００１７】
加速手段は、好ましくはイオンがイオン移動度分光計またはセパレータからフラグメンテーションデバイスへ移送される際にある期間にわたりイオンが通過するポテンシャル差を漸進的に増加するように配置および適合される。
【００１８】
先の実施形態ほどではないが、好ましい実施形態によると、上記状況はＶ2＜Ｖ1の場合に起こり得ることが考えられる。例えば、これは多価イオンがフラグメンテーションされる場合に起こり得る。この先の実施形態ほどではないが、好ましい実施形態によると、加速手段は、イオンがイオン移動度分光計またはセパレータからフラグメンテーションデバイスへ移送される際にある期間にわたりイオンが通過するポテンシャル差を低減するように配置および適合される。
【００１９】
加速手段は、好ましくはイオンがフラグメンテーションデバイスに入射する際にフラグメンテーションのための実質的に最適なポテンシャル差を通過するようにイオンを加速するように配置および適合される。加速手段は、好ましくはイオンをフラグメンテーションデバイス中へ加速および／または先ほどではないが好ましくは減速するように配置および適合される。
【００２０】
イオン移動度分光計またはセパレータは、好ましくは気相電気泳動デバイスであり、好ましくはイオンをそのイオン移動度または関連の物理化学性質にしたがって一時的に分離するように構成される。
【００２１】
一実施形態によると、イオン移動度分光計またはセパレータは、ドリフトチューブと、前記ドリフトチューブの少なくとも一部に沿って軸方向ＤＣ電圧勾配を維持するための１つ以上の電極とを含み得る。イオン移動度分光計またはセパレータは、ドリフトチューブの少なくとも一部に沿って軸方向ＤＣ電圧勾配を維持するための手段をさらに含み得る。
【００２２】
他の実施形態によると、イオン移動度分光計またはセパレータは１つ以上の多重極ロッドセットを含み得る。イオン移動度分光計またはセパレータは、例えば、１つ以上の四重極、六重極、八重極またはより高次のロッドセットを含み得る。特に好ましい実施形態によると、１つ以上の多重極ロッドセットは軸方向にセグメント化されるか、または複数の軸方向セグメントを含む。
【００２３】
他の実施形態によると、イオン移動度分光計またはセパレータは複数の電極を含み得（例えば、少なくとも１０、２０、３０、４０、５０、６０、７０、８０、９０または１００電極）、ここで、イオン移動度分光計またはセパレータの電極の少なくとも５％、１０％、１５％、２０％、２５％、３０％、３５％、４０％、４５％、５０％、５５％、６０％、６５％、７０％、７５％、８０％、８５％、９０％、９５％または１００％は、使用時にイオンが通るアパーチャを有する。一実施形態によると、イオン移動度分光計またはセパレータの電極の少なくとも５％、１０％、１５％、２０％、２５％、３０％、３５％、４０％、４５％、５０％、５５％、６０％、６５％、７０％、７５％、８０％、８５％、９０％、９５％または１００％は、実質的に同じサイズまたは面積のアパーチャを有し得る。あるいは、先の実施形態ほどではないが、好ましい実施形態によると、イオン移動度分光計またはセパレータの電極の少なくとも５％、１０％、１５％、２０％、２５％、３０％、３５％、４０％、４５％、５０％、５５％、６０％、６５％、７０％、７５％、８０％、８５％、９０％、９５％または１００％は、イオンガイドまたはイオントラップの軸に沿った方向にサイズまたは面積が漸進的により大きくおよび／またはより小さくなるアパーチャを有し得る。
【００２４】
イオン移動度分光計またはセパレータの電極の少なくとも５％、１０％、１５％、２０％、２５％、３０％、３５％、４０％、４５％、５０％、５５％、６０％、６５％、７０％、７５％、８０％、８５％、９０％、９５％または１００％は、好ましくは（ｉ）≦１．０ｍｍ、（ｉｉ）≦２．０ｍｍ、（ｉｉｉ）≦３．０ｍｍ、（ｉｖ）≦４．０ｍｍ、（ｖ）≦５．０ｍｍ、（ｖｉ）≦６．０ｍｍ、（ｖｉｉ）≦７．０ｍｍ、（ｖｉｉｉ）≦８．０ｍｍ、（ｉｘ）≦９．０ｍｍ、（ｘ）≦１０．０ｍｍ、および（ｘｉ）＞１０．０ｍｍからなる群から選択される内径または内寸法を有するアパーチャを有し得る。
【００２５】
別の実施形態によると、イオン移動度分光計またはセパレータは、複数のプレートまたはメッシュ電極を含み得、プレートまたはメッシュ電極の少なくともいくつかは使用時にイオンが走行する平面内に概ね配置される。好ましくは、プレートまたはメッシュ電極の少なくとも５０％、５５％、６０％、６５％、７０％、７５％、８０％、８５％、９０％、９５％または１００％は使用時にイオンが走行する平面内に概ね配置される。イオン移動度分光計またはセパレータは、例えば、少なくとも２、３、４、５、６、７、８、９、１０、１１、１２、１３、１４、１５、１６、１７、１８、１９、２０または＞２０プレートまたはメッシュ電極を含み得る。プレートまたはメッシュ電極は、好ましくはそのデバイス内にイオンを閉じ込めるためにＡＣまたはＲＦ電圧が供給される。隣接するプレートまたはメッシュ電極は、好ましくはＡＣまたはＲＦ電圧の逆相が供給される。
【００２６】
イオン移動度分光計またはセパレータはその種々の異なる形態において好ましくは複数の軸方向セグメントを含む。例えば、イオン移動度分光計またはセパレータは、少なくとも５、１０、１５、２０、２５、３０、３５、４０、４５、５０、５５、６０、６５、７０、７５、８０、８５、９０、９５または１００の軸方向セグメントを含み得る。
【００２７】
好ましい実施形態によると、イオン移動度分光計またはセパレータの軸方向長さの少なくとも一部に沿って実質的に一定のＤＣ電圧勾配を維持するためのＤＣ電圧手段が好ましくは提供される。ＤＣ電圧手段は、例えば、イオン移動度分光計またはセパレータの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って実質的に一定のＤＣ電圧勾配を維持するように配置および適合され得る。
【００２８】
他の実施形態によると、過渡ＤＣ電圧手段が提供され得、１つ以上の過渡ＤＣ電圧または１つ以上の過渡ＤＣ電圧波形をイオン移動度分光計またはセパレータを形成する電極に印加するように配置および適合され得る。過渡ＤＣ電圧または過渡ＤＣ電圧波形は、好ましくはイオン移動度分光計またはセパレータの軸方向長さの少なくとも一部に沿って少なくともいくつかのイオンを駆動する。過渡ＤＣ電圧手段は、好ましくはイオン移動度分光計またはセパレータの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って１つ以上の過渡ＤＣ電圧または１つ以上の過渡ＤＣ電圧波形を電極に印加するように配置および適合される。
【００２９】
他の実施形態によると、ＡＣまたはＲＦ電圧手段が好ましくは提供され、２つ以上の位相シフトＡＣまたはＲＦ電圧をイオン移動度分光計またはセパレータを形成する電極に印加するように配置および適合される。この実施形態によると、ＡＣまたはＲＦ電圧手段は、イオン移動度分光計またはセパレータの軸方向長さの少なくとも一部に沿って少なくともいくつかのイオンを駆動する。好ましくは、ＡＣまたはＲＦ電圧手段は、イオン移動度分光計またはセパレータの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って１つ以上のＡＣまたはＲＦ電圧を電極に印加するように配置および適合される。
【００３０】
イオン移動度分光計またはセパレータは、好ましくは複数の電極を含み、イオンをイオン移動度分光計もしくはセパレータ内に半径方向に、またはイオン移動度分光計もしくはセパレータの中心軸の回りに閉じ込めるために、イオン移動度分光計またはセパレータの複数の電極の少なくとも５％、１０％、２０％、３０％、４０％、５０％、６０％、７０％、８０％、９０％、９５％または１００％にＡＣまたはＲＦ電圧を印加するように配置および適合されるＡＣまたはＲＦ電圧手段が好ましくは提供される。前記デバイス内にイオンを閉じ込めるために使用されるＡＣまたはＲＦ電圧手段は、好ましくは（ｉ）＜５０Ｖピークからピーク、（ｉｉ）５０〜１００Ｖピークからピーク、（ｉｉｉ）１００〜１５０Ｖピークからピーク、（ｉｖ）１５０〜２００Ｖピークからピーク、（ｖ）２００〜２５０Ｖピークからピーク、（ｖｉ）２５０〜３００Ｖピークからピーク、（ｖｉｉ）３００〜３５０Ｖピークからピーク、（ｖｉｉｉ）３５０〜４００Ｖピークからピーク、（ｉｘ）４００〜４５０Ｖピークからピーク、（ｘ）４５０〜５００Ｖピークからピーク、および（ｘｉ）＞５００Ｖピークからピーク、からなる群から選択される振幅を有するＡＣまたはＲＦ電圧を、イオン移動度分光計またはセパレータの複数の電極に供給するように配置および適合される。ＡＣまたはＲＦ電圧手段は、好ましくは（ｉ）＜１００ｋＨｚ、（ｉｉ）１００〜２００ｋＨｚ、（ｉｉｉ）２００〜３００ｋＨｚ、（ｉｖ）３００〜４００ｋＨｚ、（ｖ）４００〜５００ｋＨｚ、（ｖｉ）０．５〜１．０ＭＨｚ、（ｖｉｉ）１．０〜１．５ＭＨｚ、（ｖｉｉｉ）１．５〜２．０ＭＨｚ、（ｉｘ）２．０〜２．５ＭＨｚ、（ｘ）２．５〜３．０ＭＨｚ、（ｘｉ）３．０〜３．５ＭＨｚ、（ｘｉｉ）３．５〜４．０ＭＨｚ、（ｘｉｉｉ）４．０〜４．５ＭＨｚ、（ｘｉｖ）４．５〜５．０ＭＨｚ、（ｘｖ）５．０〜５．５ＭＨｚ、（ｘｖｉ）５．５〜６．０ＭＨｚ、（ｘｖｉｉ）６．０〜６．５ＭＨｚ、（ｘｖｉｉｉ）６．５〜７．０ＭＨｚ、（ｘｉｘ）７．０〜７．５ＭＨｚ、（ｘｘ）７．５〜８．０ＭＨｚ、（ｘｘｉ）８．０〜８．５ＭＨｚ、（ｘｘｉｉ）８．５〜９．０ＭＨｚ、（ｘｘｉｉｉ）９．０〜９．５ＭＨｚ、（ｘｘｉｖ）９．５〜１０．０ＭＨｚ、および（ｘｘｖ）＞１０．０ＭＨｚからなる群から選択される周波数を有するＡＣまたはＲＦ電圧をイオン移動度分光計またはセパレータの複数の電極に供給するように配置および適合される。
【００３１】
好ましい実施形態によると、質量分析計は、イオン移動度分光計またはセパレータの少なくとも一部（好ましくは、イオン移動度分光計またはセパレータの少なくとも１０％、２０％、３０％、４０％、５０％、６０％、７０％、８０％、９０％、９５％または１００％）を（ｉ）＞０．００１ｍｂａｒ、（ｉｉ）＞０．０１ｍｂａｒ、（ｉｉｉ）＞０．１ｍｂａｒ、（ｉｖ）＞１ｍｂａｒ、（ｖ）＞１０ｍｂａｒ、（ｖｉ）＞１００ｍｂａｒ、（ｖｉｉ）０．００１〜１００ｍｂａｒ、（ｖｉｉｉ）０．０１〜１０ｍｂａｒ、および（ｉｘ）０．１〜１ｍｂａｒからなる群から選択される圧力に維持するように配置および適合される手段をさらに含むのが好ましい。
【００３２】
イオンガイドまたは移送手段は、前記イオン移動度分光計またはセパレータから現れるイオンを、前記フラグメンテーションデバイスへ向かってまたは、前記フラグメンテーションデバイス中へ、ガイドするかまたは移送するために、イオン移動度分光計またはセパレータとフラグメンテーションデバイスとの間に配置されるか、またはそうでなければ位置づけられ得る。
【００３３】
フラグメンテーションデバイスは、好ましくは衝突またはフラグメンテーションセルを含む。衝突またはフラグメンテーションセルは、好ましくは衝突またはフラグメンテーションセル内の衝突ガス分子を用いた衝突誘起解離（「ＣＩＤ」）によってイオンをフラグメンテーションするように配置される。
【００３４】
衝突またはフラグメンテーションセルは、好ましくはイオンが衝突またはフラグメンテーションセルに入射できるようにするための上流開口と、イオンが前記衝突またはフラグメンテーションセルから出射できるようにするための下流開口とを有するハウジングを含む。
【００３５】
一実施形態によると、フラグメンテーションデバイスは、多重極ロッドセット（例えば、四重極、六重極、八重極またはより高次のロッドセット）を含み得る。多重極ロッドセットは軸方向にセグメント化され得る。
【００３６】
フラグメンテーションデバイスは、好ましくは複数の電極（例えば、少なくとも１０、２０、３０、４０、５０、６０、７０、８０、９０または１００の電極）を含む。一実施形態によると、フラグメンテーションデバイスの電極の少なくとも５％、１０％、１５％、２０％、２５％、３０％、３５％、４０％、４５％、５０％、５５％、６０％、６５％、７０％、７５％、８０％、８５％、９０％、９５％または１００％は、使用時にイオンが通るアパーチャを有する。好ましくは、フラグメンテーションデバイスの電極の少なくとも５％、１０％、１５％、２０％、２５％、３０％、３５％、４０％、４５％、５０％、５５％、６０％、６５％、７０％、７５％、８０％、８５％、９０％、９５％または１００％は、実質的に同じサイズまたは面積のアパーチャを有する。先の実施形態ほどではないが、別の好ましい実施形態によると、フラグメンテーションデバイスの電極の少なくとも５％、１０％、２０％、３０％、４０％、５０％、６０％、７０％、８０％、９０％、９５％または１００％は、前記フラグメンテーションデバイスの軸に沿った方向にサイズまたは面積が、漸進的により大きくおよび／またはより小さくなるアパーチャを有し得る。
【００３７】
好ましくは、フラグメンテーションデバイスの電極の少なくとも５％、１０％、２０％、３０％、４０％、５０％、６０％、７０％、８０％、９０％、９５％または１００％は、（ｉ）≦１．０ｍｍ、（ｉｉ）≦２．０ｍｍ、（ｉｉｉ）≦３．０ｍｍ、（ｉｖ）≦４．０ｍｍ、（ｖ）≦５．０ｍｍ、（ｖｉ）≦６．０ｍｍ、（ｖｉｉ）≦７．０ｍｍ、（ｖｉｉｉ）≦８．０ｍｍ、（ｉｘ）≦９．０ｍｍ、（ｘ）≦１０．０ｍｍ、および（ｘｉ）＞１０．０ｍｍからなる群から選択される内径または内寸法を有するアパーチャを有する。
【００３８】
別の実施形態によると、フラグメンテーションデバイスは、複数のプレートまたはメッシュ電極を含み得、前記プレートまたはメッシュ電極の少なくともいくつかは、使用時にイオンが走行する平面内に概ね配置される。好ましくは、フラグメンテーションデバイスは複数のプレートまたはメッシュ電極を含み得、プレートまたはメッシュ電極の少なくとも５０％、５５％、６０％、６５％、７０％、７５％、８０％、８５％、９０％、９５％または１００％は、使用時にイオンが走行する平面内に概ね配置される。フラグメンテーションデバイスは、少なくとも２、３、４、５、６、７、８、９、１０、１１、１２、１３、１４、１５、１６、１７、１８、１９、２０または＞２０プレートまたはメッシュ電極を含み得る。好ましくは、プレートまたはメッシュ電極は、フラグメンテーションデバイス内にイオンを閉じ込めるために、ＡＣまたはＲＦ電圧が供給される。隣接するプレートまたはメッシュ電極は、好ましくはＡＣまたはＲＦ電圧の逆相が供給される。
【００３９】
フラグメンテーションデバイスは複数の軸方向セグメント（例えば、少なくとも５、１０、１５、２０、２５、３０、３５、４０、４５、５０、５５、６０、６５、７０、７５、８０、８５、９０、９５または１００の軸方向セグメント）を含み得る。
【００４０】
一実施形態によると、フラグメンテーションデバイスは、前記フラグメンテーションデバイスの軸方向長さの少なくとも一部に沿って実質的に一定のＤＣ電圧勾配を維持するためのＤＣ電圧手段をさらに含む。好ましくは、ＤＣ電圧手段は、フラグメンテーションデバイスの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って実質的に一定のＤＣ電圧勾配を維持するように配置および適合される。
【００４１】
一実施形態によると、フラグメンテーションは、フラグメンテーションデバイスの軸方向長さの少なくとも一部に沿って少なくともいくつかのイオンを駆動するために、１つ以上の過渡ＤＣ電圧または１つ以上の過渡ＤＣ電圧波形をフラグメンテーションデバイスを形成する電極に印加するように配置および適合される過渡ＤＣ電圧手段を含み得る。好ましくは、過渡ＤＣ電圧手段は、フラグメンテーションデバイスの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って、１つ以上の過渡ＤＣ電圧または１つ以上の過渡ＤＣ電圧波形を電極に印加するように配置および適合される。
【００４２】
一実施形態によると、フラグメンテーションデバイスは、フラグメンテーションデバイスの軸方向長さの少なくとも一部に沿って少なくともいくつかのイオンを駆動するために、２つ以上の位相シフトＡＣまたはＲＦ電圧をフラグメンテーションデバイスを形成する電極に印加するように配置および適合されるＡＣまたはＲＦ電圧手段を含み得る。好ましくは、ＡＣまたはＲＦ電圧手段は、フラグメンテーションデバイスの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って１つ以上のＡＣまたはＲＦ電圧を電極に印加するように配置および適合される。
【００４３】
フラグメンテーションデバイスは、好ましくは複数の電極を含み、好ましくはイオンをフラグメンテーションデバイス内に半径方向にまたはフラグメンテーションデバイスの中心軸の回りに閉じ込めるために、フラグメンテーションデバイスの複数の電極の少なくとも１％、５％、１０％、２０％、３０％、４０％、５０％、６０％、７０％、８０％、９０％、９５％または１００％にＡＣまたはＲＦ電圧を印加するように配置および適合されるＡＣまたはＲＦ電圧手段が提供される。好ましくは、ＡＣまたはＲＦ電圧手段は、（ｉ）＜５０Ｖピークからピーク、（ｉｉ）５０〜１００Ｖピークからピーク、（ｉｉｉ）１００〜１５０Ｖピークからピーク、（ｉｖ）１５０〜２００Ｖピークからピーク、（ｖ）２００〜２５０Ｖピークからピーク、（ｖｉ）２５０〜３００Ｖピークからピーク、（ｖｉｉ）３００〜３５０Ｖピークからピーク、（ｖｉｉｉ）３５０〜４００Ｖピークからピーク、（ｉｘ）４００〜４５０Ｖピークからピーク、（ｘ）４５０〜５００Ｖピークからピーク、および（ｘｉ）＞５００Ｖピークからピーク、からなる群から選択される振幅を有するＡＣまたはＲＦ電圧をフラグメンテーションデバイスの複数の電極に供給するように配置および適合される。好ましくは、ＡＣまたはＲＦ電圧手段は、（ｉ）＜１００ｋＨｚ、（ｉｉ）１００〜２００ｋＨｚ、（ｉｉｉ）２００〜３００ｋＨｚ、（ｉｖ）３００〜４００ｋＨｚ、（ｖ）４００〜５００ｋＨｚ、（ｖｉ）０．５〜１．０ＭＨｚ、（ｖｉｉ）１．０〜１．５ＭＨｚ、（ｖｉｉｉ）１．５〜２．０ＭＨｚ、（ｉｘ）２．０〜２．５ＭＨｚ、（ｘ）２．５〜３．０ＭＨｚ、（ｘｉ）３．０〜３．５ＭＨｚ、（ｘｉｉ）３．５〜４．０ＭＨｚ、（ｘｉｉｉ）４．０〜４．５ＭＨｚ、（ｘｉｖ）４．５〜５．０ＭＨｚ、（ｘｖ）５．０〜５．５ＭＨｚ、（ｘｖｉ）５．５〜６．０ＭＨｚ、（ｘｖｉｉ）６．０〜６．５ＭＨｚ、（ｘｖｉｉｉ）６．５〜７．０ＭＨｚ、（ｘｉｘ）７．０〜７．５ＭＨｚ、（ｘｘ）７．５〜８．０ＭＨｚ、（ｘｘｉ）８．０〜８．５ＭＨｚ、（ｘｘｉｉ）８．５〜９．０ＭＨｚ、（ｘｘｉｉｉ）９．０〜９．５ＭＨｚ、（ｘｘｉｖ）９．５〜１０．０ＭＨｚ、および（ｘｘｖ）＞１０．０ＭＨｚからなる群から選択される周波数を有するＡＣまたはＲＦ電圧をフラグメンテーションデバイスの複数の電極に供給するように配置および適合される。
【００４４】
一実施形態によると、少なくとも１０％、２０％、３０％、４０％、５０％、６０％、７０％、８０％、９０％、９５％または１００％、フラグメンテーションデバイスは、好ましくは（ｉ）＞０．０００１ｍｂａｒ、（ｉｉ）＞０．００１ｍｂａｒ、（ｉｉｉ）＞０．０１ｍｂａｒ、（ｉｖ）＞０．１ｍｂａｒ、（ｖ）＞１ｍｂａｒ、（ｖｉ）＞１０ｍｂａｒ、（ｖｉｉ）０．０００１〜０．１ｍｂａｒ、および（ｖｉｉｉ）０．００１〜０．０１ｍｂａｒからなる群から選択される圧力に維持されるように配置および適合される。
【００４５】
先の実施形態ほどではないが、好ましい実施形態によると、フラグメンテーションデバイスは、イオンを表面誘起解離（「ＳＩＤ」）によってフラグメンテーションするように配置および適合され得る。ここで、イオンは、ガス分子ではなくそのイオンを表面または電極へ加速することによってフラグメンテーションされる。
【００４６】
一実施形態によると、質量分析計は、ある動作モードにおいて、イオン移動度分光計またはセパレータの上流でイオンをトラップし、１パルスのイオンを前記イオン移動度分光計またはセパレータへ通過させるかまたは移送するように配置および適合される手段をさらに含み得る。
【００４７】
フラグメンテーションデバイスを、イオンが実質的にフラグメンテーションされる第１の動作モード、とフラグメンテーションされるイオンが実質的により少ないかまたは全くない第２の動作モードとの間で切り換えるように、配置および適合される制御システムが好ましくは提供される。第１の（フラグメンテーション）動作モードにおいて、イオン移動度分光計またはセパレータに存在するイオンは、好ましくは（ｉ）≧１０Ｖ、（ｉｉ）≧２０Ｖ、（ｉｉｉ）≧３０Ｖ、（ｉｖ）≧４０Ｖ、（ｖ）≧５０Ｖ、（ｖｉ）≧６０Ｖ、（ｖｉｉ）≧７０Ｖ、（ｖｉｉｉ）≧８０Ｖ、（ｉｘ）≧９０Ｖ、（ｘ）≧１００Ｖ、（ｘｉ）≧１１０Ｖ、（ｘｉｉ）≧１２０Ｖ、（ｘｉｉｉ）≧１３０Ｖ、（ｘｉｖ）≧１４０Ｖ、（ｘｖ）≧１５０Ｖ、（ｘｖｉ）≧１６０Ｖ、（ｘｖｉｉ）≧１７０Ｖ、（ｘｖｉｉｉ）≧１８０Ｖ、（ｘｉｘ）≧１９０Ｖ、および（ｘｘ）≧２００Ｖからなる群から選択される比較的高いポテンシャル差を通して加速される。第２の（非フラグメンテーション）動作モードにおいて、イオン移動度分光計またはセパレータに存在するイオンは、好ましくは（ｉ）≦２０Ｖ、（ｉｉ）≦１５Ｖ、（ｉｉｉ）≦１０Ｖ、（ｉｖ）≦５Ｖ、および（ｖ）≦１Ｖからなる群から選択される比較的低いポテンシャル差を通して加速される。
【００４８】
制御システムは、好ましくは１ミリ秒、５ミリ秒、１０ミリ秒、１５ミリ秒、２０ミリ秒、２５ミリ秒、３０ミリ秒、３５ミリ秒、４０ミリ秒、４５ミリ秒、５０ミリ秒、５５ミリ秒、６０ミリ秒、６５ミリ秒、７０ミリ秒、７５ミリ秒、８０ミリ秒、８５ミリ秒、９０ミリ秒、９５ミリ秒、１００ミリ秒、２００ミリ秒、３００ミリ秒、４００ミリ秒、５００ミリ秒、６００ミリ秒、７００ミリ秒、８００ミリ秒、９００ミリ秒、１秒、２秒、３秒、４秒、５秒、６秒、７秒、８秒、９秒または１０秒ごとに少なくとも１回、フラグメンテーションデバイスを第１の動作モードと第２の動作モードとの間で定期的におよび／または繰り返し切り換えるように配置および適合される。
【００４９】
質量分析計は、好ましくは（ｉ）エレクトロスプレーイオン化（「ＥＳＩ」）イオン源、（ｉｉ）大気圧光イオン化（「ＡＰＰＩ」）イオン源、（ｉｉｉ）大気圧化学イオン化（「ＡＰＣＩ」）イオン源、（ｉｖ）マトリックス支援レーザ脱離イオン化（「ＭＡＬＤＩ」）イオン源、（ｖ）レーザ脱離イオン化（「ＬＤＩ」）イオン源、（ｖｉ）大気圧イオン化（「ＡＰＩ」）イオン源、（ｖｉｉ）シリコンを用いた脱離イオン化（「ＤＩＯＳ」）イオン源、（ｖｉｉｉ）電子衝突（「ＥＩ」）イオン源、（ｉｘ）化学イオン化（「ＣＩ」）イオン源、（ｘ）電界イオン化（「ＦＩ」）イオン源、（ｘｉ）電界脱離（「ＦＤ」）イオン源、（ｘｉｉ）誘導結合プラズマ（「ＩＣＰ」）イオン源、（ｘｉｉｉ）高速原子衝撃（「ＦＡＢ」）イオン源、（ｘｉｖ）液体二次イオン質量分析（「ＬＳＩＭＳ」）イオン源、（ｘｖ）脱離エレクトロスプレーイオン化（「ＤＥＳＩ」）イオン源、（ｘｖｉ）ニッケル−６３放射性イオン源、および（ｘｖｉｉ）大気圧マトリックス支援レーザ脱離イオン化イオン源からなる群から選択されるイオン源をさらに含む。イオン源はパルス化または連続イオン源であり得る。
【００５０】
質量分析計は、好ましくはフラグメンテーションデバイスの下流に配置された質量分析器をさらに含む。質量分析器は、好ましくは（ｉ）フーリエ変換（「ＦＴ」）質量分析器、（ｉｉ）フーリエ変換イオンサイクロトロン共鳴（「ＦＴＩＣＲ」）質量分析器、（ｉｉｉ）飛行時間（「ＴＯＦ」）質量分析器、（ｉｖ）直交加速度飛行時間（「ｏａＴＯＦ」）質量分析器、（ｖ）軸方向加速度飛行時間質量分析器、（ｖｉ）扇形磁場質量分析計、（ｖｉｉ）ポールまたは３Ｄ四重極質量分析器、（ｖｉｉｉ）２Ｄまたは直線四重極質量分析器、（ｉｘ）ペニングトラップ質量分析器、（ｘ）イオントラップ質量分析器、（ｘｉ）フーリエ変換オービトラップ、（ｘｉｉ）静電フーリエ変換質量分析計、および（ｘｉｉｉ）四重極質量分析器からなる群から選択される。
【００５１】
質量分析計は、イオン移動度分光計またはセパレータの上流に配置された１つ以上の質量もしくは質量対電荷比フィルタおよび／または分析器をさらに含み得る。１つ以上の質量もしくは質量対電荷比フィルタおよび／または分析器は、（ｉ）四重極質量フィルタまたは分析器、（ｉｉ）ウィーンフィルタ、（ｉｉｉ）扇形磁場質量フィルタまたは分析器、（ｉｖ）速度フィルタ、および（ｖ）イオンゲートからなる群から選択され得る。
【００５２】
本発明の一態様によると、質量分析の方法であって、
イオン移動度分光計またはセパレータにおいて、イオンを、そのイオン移動度にしたがって分離するステップと、
時刻ｔ1に前記イオン移動度分光計またはセパレータから現れる第１のイオンを第１の運動エネルギーＥ1を得るよう加速するステップと、
時刻ｔ1より後の第２の時刻ｔ2に前記イオン移動度分光計またはセパレータから現れる第２の異なるイオンを第２の異なる運動エネルギーＥ2を得るように加速するステップと、
前記フラグメンテーションデバイスにおいて前記第１および第２のイオンをフラグメンテーションするステップと
を含む方法が提供される。
【００５３】
本発明の一態様によると、質量分析の方法であって、
イオン移動度分光計またはセパレータにおいて、イオンを、そのイオン移動度にしたがって分離するステップと、
時刻ｔ1に前記イオン移動度分光計またはセパレータから現れる第１のイオンを第１のポテンシャル差Ｖ1を通して加速するステップと、
時刻ｔ1より後の第２の時刻ｔ2に前記イオン移動度分光計またはセパレータから現れる第２の異なるイオンを第２の異なるポテンシャル差Ｖ2を通して加速するステップと、
前記フラグメンテーションデバイスにおいて前記第１および第２のイオンをフラグメンテーションするステップと
を含む方法が提供される。
【００５４】
上記好ましい実施形態は、好ましくはフラグメンテーションデバイスの上流に配置されたイオン移動度分光計またはセパレータデバイスを使用して、実質的に予測可能な方法で、イオンを一時的に分離するステップを好ましくは含む。フラグメンテーションデバイスは、好ましくは＞１０-3ｍｂａｒの圧力に維持された衝突ガスを収納する衝突またはフラグメンテーションセルを備える。任意の与えられた時刻に、イオン移動度セパレータに存在するイオンの質量対電荷比範囲（所定の電荷状態に対して）は一般に予測され得る。したがって、次いで任意の特定時刻に衝突またはフラグメンテーションセルに入射されるイオンの質量対電荷比もまた一般に予測され得る。上記好ましい実施形態は、衝突またはフラグメンテーションセルに入射するイオンのエネルギーを設定するステップと、イオンがフラグメンテーションデバイス中へまたはそれに向かって好ましくは加速される際にイオンがフラグメンテーションのための最適なエネルギーを持ち続けるようにエネルギーを時間とともに変化させるステップとを含む。
【００５５】
したがって、上記好ましい実施形態は、対象のイオンの全質量対電荷比範囲にわたり実質的に改善されたフラグメンテーション効率でイオンがフラグメンテーションされることを可能にし、したがって当該分野における重要な進歩を示す。
【００５６】
本発明の種々の実施形態をあくまでも例として添付の図面を参照してここに説明する。
【００５７】
図１は、好ましい実施形態に係る質量分析計を模式的に示す図である。
【００５８】
図２は、異なる質量対電荷比を有する一価イオンが好ましい実施形態に係るイオン移動度分光計またはセパレータを出射するのにかかる時間を示す図である。
【００５９】
図３は、例えば、ＭＡＬＤＩイオン源から出射された際の一価イオンについての、質量対電荷比に対する最適なフラグメンテーションエネルギーのプロットを示す図である。
【００６０】
図４は、一価イオンが上記好ましい実施形態に係るイオン移動度分光計またはセパレータをドリフト通過するのにかかる時間に対する、イオンが有するべきフラグメンテーションのための最適なエネルギーのプロットを示す図である。
【００６１】
本発明の好ましい実施形態をここで図１を参照して説明する。好ましくは、イオン源１を含む質量分析計が提供される。好ましくは、第１の移送光学部品２またはイオンガイドがイオン源１の下流に配置され、好ましくは、イオン移動度分光計またはセパレータ３が第１の移送光学部品２またはイオンガイドの下流に配置される。第１の移送光学部品２またはイオンガイドは、一実施形態によると、使用時にイオンが通るアパーチャを有する複数の電極を有する四重極ロッドセットイオンガイドまたはイオントンネルイオンガイドを含み得る。
【００６２】
イオン移動度分光計またはセパレータ３は、好ましくはイオンをそのイオン移動度または関連の物理化学性質にしたがって分離するように配置される。したがって、イオン移動度分光計またはセパレータ３は、好ましくは一形態の気相電気泳動デバイスである。
【００６３】
イオン移動度分光計またはセパレータ５は、多くの異なる形態を取り得る（より詳細は後述）。一実施形態によると、イオン移動度分光計またはセパレータ３は、進行波イオン移動度セパレータデバイスを含み得る。ここで、１つ以上の進行または過渡ＤＣ電圧または波形が、そのデバイスを形成する電極に印加される。あるいは、デバイス３は、イオンを半径方向に閉じ込めてもよいし、閉じ込めなくてもよいドリフトセルを含み得る。
【００６４】
ある実施形態によると、イオン移動度分光計またはセパレータ４は、１つ以上のガードリング電極を有するドリフトチューブを含み得る。一定の軸方向ＤＣ電圧勾配が、好ましくはドリフトチューブの長さに沿って維持される。ドリフトチューブは、好ましくは＞１０-3ｍｂａｒ、より好ましくは＞１０-2ｍｂａｒのガス圧力で維持され、イオンは、好ましくは一定のＤＣ電圧勾配を印加することによって、デバイスに沿って、かつデバイスを通って駆動される。比較的高いイオン移動度を有するイオンは、比較的低いイオン移動度を有するイオンよりも前にイオン移動度セパレータまたは分光計３から現れる。
【００６５】
他の実施形態によると、イオン移動度分光計またはセパレータ３は、多重極ロッドセットを含み得る。特に好ましい実施形態によると、多重極ロッドセット（例えば、四重極ロッドセット）は軸方向にセグメント化され得る。その複数の軸方向セグメントは、静的な軸方向ＤＣ電圧勾配がイオン移動度分光計またはセパレータ３の長さに沿って維持され得るように、異なるＤＣポテンシャルに維持され得る。また、別の実施形態によると、イオンをイオン移動度分光計またはセパレータ３の軸方向長さに沿ってかつ通って駆動するために、１つ以上の時変ＤＣポテンシャルが軸方向セグメントに印加され得ることが考えられる。あるいは、イオンをイオン移動度分光計またはセパレータ３の長さに沿って駆動するために１つ以上のＡＣまたはＲＦ電圧が軸方向セグメントに印加され得る。これらの種々の実施形態によると、イオンはイオン移動度分光計またはセパレータ３の好ましくは軸方向ドリフト領域に存在する背景ガスを通過する際に、そのイオン移動度にしたがって分離されることが理解される。
【００６６】
イオン移動度分光計またはセパレータ３は、別の実施形態によると、使用時にイオンが通るアパーチャを有する複数のプレート、リングまたはワイヤ電極を含むイオントンネルまたはイオンファンネル構成を含み得る。あるイオントンネル構成において、実質的にすべての電極は同様のサイズのアパーチャを有する。あるイオンファンネル構成において、アパーチャのサイズは、好ましくは漸進的により小さくなるか、またはより大きくなる。これらの実施形態によると、一定のＤＣ電圧勾配が、イオントンネルまたはイオンファンネルイオン移動度分光計またはセパレータの長さに沿って維持され得る。あるいは、イオンをイオン移動度分光計またはセパレータ３の長さに沿って駆動するために１つ以上の過渡もしくは時変ＤＣポテンシャルまたはＡＣもしくはＲＦ電圧が、イオントンネルまたはイオンファンネル構成を形成する電極に印加され得る。
【００６７】
なおさらなる実施形態によると、イオン移動度分光計またはセパレータ３はサンドイッチプレート構成を含み得る。ここで、イオン移動度分光計またはセパレータ３は、使用時にイオンが走行する平面内に概ね配置される複数のプレートまたはメッシュ電極を含む。また、電極構成は好ましくは軸方向にセグメント化され得、その結果、イオンをイオン移動度分光計またはセパレータ３の長さに沿っておよび通って駆動するために、他の実施形態と同様に、静的なＤＣポテンシャル勾配、時変ＤＣポテンシャルまたはＡＣもしくはＲＦ電圧のいずれかが軸方向セグメントに印加され得る。
【００６８】
イオンは、好ましくはＡＣまたはＲＦ電圧がイオン移動度分光計またはセパレータ３を形成する電極に印加されることによって、イオン移動度分光計またはセパレータ３内に半径方向に閉じ込められる。印加されたＡＣまたはＲＦ電圧により、好ましくは、イオンが半径方向に逃げることを阻止する半径方向擬ポテンシャル井戸が、好ましくは形成される。
【００６９】
一実施形態によると、イオントラップ（図示せず）が好ましくはイオン移動度分光計またはセパレータ３の上流に提供される。イオントラップは、好ましくは１つ以上のパルスのイオンをイオン移動度分光計またはセパレータ３中へまたはそれに向かって周期的に放出するように配置される。
【００７０】
第２の移送光学部品４またはイオンガイドが、イオン移動度分光計またはセパレータ３から出射されるかまたはそこを離れるイオンを受け取るために、必要に応じてイオン移動度分光計またはセパレータ３の下流に配置され得る。第２の移送光学部品４またはイオンガイドは、一実施形態によると、使用時にイオンが通るアパーチャを有する複数の電極を有する四重極ロッドセットイオンガイドまたはイオントンネルイオンガイドを含み得る。
【００７１】
好ましくは衝突またはフラグメンテーションセル５を含むフラグメンテーションデバイス５が、好ましくは第２の移送光学部品４またはイオンガイドの下流に配置されるか、またはイオン移動度分光計またはセパレータ３から出射されたイオンを直接または間接に受け取るように配置され得る。
【００７２】
フラグメンテーションデバイス５は、好ましくは多くの異なる形態を取り得る衝突またはフラグメンテーションセル５を含む。最も簡単な形態において、衝突またはフラグメンテーションデバイス５は、多重極ロッドセット衝突またはフラグメンテーションセルを含み得る。一実施形態によると、衝突またはフラグメンテーションセル５は、進行波衝突またはフラグメンテーションセル５を含み得る。前記進行波衝突またはフラグメンテーションセル５において、イオンを衝突またはフラグメンテーション５を通って駆動するために、衝突またはフラグメンテーションセルを形成する電極に、１つ以上の進行もしくは過渡ＤＣ電圧または波形が、印加される。過渡ＤＣポテンシャルをフラグメンテーションデバイス５を形成する電極に印加することにより、好ましくはフラグメントイオンが衝突またはフラグメンテーションセル５を通る通過時間が早まる。
【００７３】
あるいは、衝突またはフラグメンテーションセル５は、直線加速衝突またはフラグメンテーションセルを含み得る。ここで、一定の軸方向ＤＣ電圧勾配が、衝突またはフラグメンテーションセル５の軸方向長さの少なくとも一部に沿って維持される。
【００７４】
上記好ましい実施形態によると、衝突またはフラグメンテーションセル５は、好ましくは衝突誘起解離（「ＣＩＤ」）によってイオンをフラグメンテーションするように配置される。ここで、衝突またはフラグメンテーションセル５内に提供される衝突ガスにイオンが衝突した際にフラグメンテーションされるように十分なエネルギーで衝突またはフラグメンテーションセル５中へ、イオンは、加速される。先の実施形態ほどではないが、好ましい実施形態によると、フラグメンテーションデバイスは、表面誘起解離（「ＳＩＤ」）によってイオンをフラグメンテーションするためのデバイスを含み得る。前記ＳＩＤにおいて、イオンは表面または電極へ加速されることによってフラグメンテーションされる。
【００７５】
一実施形態によるとフラグメンテーションデバイス５は、多重極ロッドセットを含み得る。一実施形態によると、多重極ロッドセット（例えば、四重極ロッドセット）は軸方向にセグメント化され得る。その複数の軸方向セグメントは、静的な軸方向ＤＣ電圧勾配がフラグメンテーションデバイス５の長さに沿って維持され得るように、異なるＤＣポテンシャルに維持され得る。別の実施形態によると、フラグメントイオンをフラグメンテーションデバイス５の軸方向長さに沿っておよび通って駆動するために、１つ以上の時変ＤＣポテンシャルが軸方向セグメントに印加され得ることが考えられる。あるいは、フラグメンテーションデバイス５の長さに沿って駆動するために、１つ以上のＡＣまたはＲＦ電圧が軸方向セグメントに印加され得る。一定の非ゼロＤＣ電圧勾配をフラグメンテーションデバイスの長さに沿って印加したり、または１つ以上の過渡ＤＣもしくはＡＣもしくはＲＦ電圧をフラグメンテーションデバイスを形成する電極に印加する必要はないが、フラグメンテーションデバイス５の長さに沿って静的なまたは時変電界を印加することによって、フラグメントイオンがフラグメンテーションデバイス５を通る通過時間を改善できる。
【００７６】
フラグメンテーションデバイス５は、別の実施形態によると、使用時にイオンが通るアパーチャを有する複数のプレート電極を有するイオントンネルまたはイオンファンネル構成を含み得る。あるイオントンネル構成において、実質的にすべての電極は同様のサイズのアパーチャを有する。あるイオンファンネル構成において、アパーチャのサイズは、好ましくは漸進的により小さくまたはより大きくなる。これらの実施形態によると、一定のＤＣ電圧勾配が、イオントンネルまたはイオンファンネルフラグメンテーションデバイスの長さに沿って維持され得る。あるいは、イオンをフラグメンテーションデバイス５の長さに沿って駆動するために、１つ以上の過渡もしくは時変ＤＣポテンシャルまたはＡＣもしくはＲＦ電圧が、イオントンネルまたはイオンファンネル構成を形成する電極に印加され得る。
【００７７】
なおさらなる実施形態によると、フラグメンテーションデバイス５は、サンドイッチプレート構成を含み得る。この構成において、フラグメンテーションデバイス５は、使用時にイオンが走行する平面内に概ね配置される複数のプレートまたはメッシュ電極を含む。また、電極構成は、好ましくは軸方向にセグメント化され得、その結果、イオンをフラグメンテーションデバイス５の長さに沿っておよび通って駆動するために、他の実施形態と同様に、静的なＤＣポテンシャル勾配、時変ＤＣポテンシャルまたはＡＣもしくはＲＦ電圧のいずれかが軸方向セグメントに印加され得る。
【００７８】
イオンは、好ましくはＡＣまたはＲＦ電圧がフラグメンテーションデバイス５を形成する電極に印加されることによって、フラグメンテーションデバイス５内に半径方向に閉じ込められる。印加されたＡＣまたはＲＦ電圧により、好ましくはイオンが半径方向に逃げることを阻止する半径方向擬ポテンシャル井戸が好ましくは形成される。
【００７９】
衝突またはフラグメンテーションガスが、好ましくはフラグメンテーションデバイス５内に提供される。衝突またはフラグメンテーションガスは、ヘリウム、メタン、ネオン、窒素、アルゴン、キセノン、空気またはそのようなガスの混合物を含み得る。窒素またはアルゴンが特に好ましい。
【００８０】
第３の移送光学部品６またはイオンガイドが、フラグメンテーションデバイス５と直交加速飛行時間質量分析器との間のインターフェースとして働くように、フラグメンテーションデバイス５の下流に配置され得る。第３の移送光学部品６またはイオンガイドは、一実施形態によると、使用時にイオンが通るアパーチャを有する複数の電極を有する四重極ロッドセットイオンガイドまたはイオントンネルイオンガイドを含み得る。直交加速飛行時間質量分析器のプッシャー電極７を図１に示す。直交加速質量分析器のドリフト領域、リフレクトロンおよびイオン検出器は図１に示していない。飛行時間質量分析器の動作は、当業者に周知であるのでより詳細な説明は省略する。
【００８１】
イオン源１は多くの異なる形態を取り得、好ましい実施形態によると、ＭＡＬＤＩイオン源が提供され得る。ＭＡＬＤＩイオン源は、ＭＡＬＤＩイオン源１によって生成されるイオンのうち、通常一価イオンが最も多いという利点がある。これにより、イオン移動度分光計またはセパレータ３の動作が簡単化され、上記好ましい実施形態によると、イオンがイオン移動度分光計またはセパレータ３を出射する際にイオンが受けるポテンシャル差を変化させるステップを特に簡単化する。上記好ましい実施形態のこの態様を後でより詳細に説明する。
【００８２】
他の実施形態によると、他のタイプのイオン源１が使用され得る。例えば、大気圧イオン化（ＡＰＩ）イオン源および、特に、エレクトロスプレーイオン化イオン源が使用され得る。
【００８３】
イオン源１によって出射されたイオンは、イオン源１自身内、別個のイオントラップ（図１に図示せず）内、またはイオン移動度分光計またはセパレータ３の上流部分または区分内のいずれかに、ある期間蓄積され得る。例えば、イオン移動度分光計またはセパレータ３は、イオントラップ領域として機能する上流部分と、イオンがそのイオン移動度にしたがって分離される下流部分イオンとを含み得る。
【００８４】
イオンが何らかの方法で蓄積された後、次いである範囲の異なる質量対電荷比を有する１パケットまたはパルスのイオンが、好ましくは放出される。このイオンのパケットまたはパルスは、好ましくは、イオンがそのイオン移動度にしたがって分離される、イオン移動度分光計またはセパレータ３か、またはイオン移動度分光計またはセパレータ３の主区分のいずれかに、移送または通過されるように配置される。
【００８５】
ＭＡＬＤＩイオン源から出射されたイオンのうち最も多いのが一価イオンであるので、イオンがイオン移動度分光計またはセパレータ３を通過してそこから出射するのにかかる時間は、好ましくはそのイオンの質量対電荷比の関数である。イオンの質量対電荷比とイオン移動度分光計またはセパレータ３の通過または出射時間との関係は、一般に既知かつ予測可能であり、図２を参照してより詳細に説明する。
【００８６】
図２は、異なる質量対電荷比の一価イオンを表すピークと、イオンが上記好ましい実施形態に係るイオン移動度分光計またはセパレータ３を通過し出射するのにかかる時間とを示すいくつかの実験結果を示す。種々のイオンの質量対電荷比を図２に示す。図２から分かるように、比較的低い質量対電荷比を有するイオンは、イオン移動度分光計またはセパレータ３を比較的短時間で通過し出射するが、比較的高い質量対電荷比を有するイオンは、イオン移動度分光計またはセパレータ３を通過し出射する時間が実質的により長い。例えば、図２から分かるように、質量対電荷比＜３５０を有するイオンは、イオン移動度分光計またはセパレータ３の長さを約２ミリ秒未満で通過するが、質量対電荷比＞１０００を有するイオンは、イオン移動度分光計またはセパレータ３の長さを通過するのに約７ミリ秒を超える時間がかかる。
【００８７】
図２において、ゼロとして示される時刻は、イオンパケットまたはパルスが、最初に蓄積ステージまたはイオントラップ領域から、イオン移動度分光計またはセパレータ３の本体中へ、最初に放出される時刻に対応する。図２から分かるように、特定のイオン移動度分光計またはセパレータ３を使用すると、最も高い質量対電荷比のイオンがイオン移動度分光計またはセパレータ３を出射するのに１２ミリ秒またはそれ以上の時間がかかる。
【００８８】
フラグメンテーションデバイス５は、一定のフラグメンテーション動作モードにおいて使用されるように配置され得る。しかし、他の実施形態によると、フラグメンテーションデバイス５は、好ましくは１回の実験中に好ましくは有効に繰り返しＯＮおよびＯＦＦを切り換えられ得る。
【００８９】
フラグメンテーションデバイス５が、非フラグメンテーション（すなわち、親イオン）動作モードで動作すると、次いでフラグメンテーションデバイス５は有効にＯＦＦに切り換えられ、次いでフラグメンテーションデバイス５は有効にイオンガイドとして機能する。この動作モードにおいて、イオン移動度分光計またはセパレータ３とフラグメンテーションデバイス５との間に維持されたポテンシャル差は、好ましくは比較的低く維持される。したがって、イオン移動度分光計またはセパレータ３を出射するイオンは、イオンがフラグメンテーションされるような十分なエネルギーなしにはフラグメンテーションデバイス５中へ加速されない。したがって、イオンがフラグメンテーションデバイス５をこの動作モードで通過する際のその親または前駆体イオンのフラグメンテーションは最小限であるかまたは実質的に起こらない。次いで親または前駆体イオンは、好ましくは実質的にフラグメンテーションされずにフラグメンテーションデバイス５を通過し出射する。
【００９０】
次いでフラグメンテーションデバイス５から実質的にフラグメンテーションされずに現れる親または前駆体イオンは、好ましくは第３の移送光学部品またはイオンガイド６を通過し、次いで好ましくは直交加速飛行時間質量分析器７によって質量分析される。次いで親または前駆体イオン質量スペクトルが得られ得る。
【００９１】
フラグメンテーションデバイス５がフラグメンテーション動作モードで動作すると、次いでイオン移動度分光計またはセパレータ３とフラグメンテーションデバイス５との間に維持されたポテンシャル差は、好ましくはイオン移動度分光計またはセパレータ３から現れるイオンが、フラグメンテーションに対して最適なエネルギーでフラグメンテーションデバイス５に入射されるように設定される。上記好ましい実施形態によると、フラグメンテーションデバイス５はフラグメンテーション動作モードで動作されている間（すなわち、例えば非フラグメンテーション動作モードに戻るように切り換えられる前）、イオン移動度分光計またはセパレータ５の出射口とフラグメンテーションデバイス５の入射口との間に維持されるポテンシャル差は、好ましくは時間とともに漸進的に増加される。これにより、イオン移動度分光計またはセパレータ３から現れるイオンは、次いでフラグメンテーションに対して最適なエネルギーを有してフラグメンテーションデバイス５に入射するようなエネルギーに加速される。
【００９２】
一実施形態によると、フラグメンテーションデバイスは、非フラグメンテーション動作モードおよびフラグメンテーション動作モードにおいて、等しくない時間を費やし得ることが考えられる。例えば、１回の実験中にフラグメンテーションデバイス５は、非フラグメンテーション動作モードよりもフラグメンテーション動作モードにおいて比較的長い時間を費やし得る。
【００９３】
例えば、ＭＡＬＤＩイオン源から出射される一価イオンに対する最適なフラグメンテーションエネルギー（単位：ｅＶ）をそのイオンの質量対電荷比に対してプロットしたものを図３に示す。図３から分かるように、例えば、質量対電荷比が２００のイオンは衝突ガス分子と衝突する前に約１０ｅＶのエネルギーを有する場合に、最適にフラグメンテーションされるが、質量対電荷比が２０００の一価イオンは衝突ガス分子と衝突する前に約１００ｅＶのエネルギーを有する場合に、最適にフラグメンテーションされる。
【００９４】
図２および３に示されたデータおよび関係は、イオンのフラグメンテーションを最適にするために、イオン移動度分光計またはセパレータ３から現れてフラグメンテーションデバイス５に入射しようとしているイオンが時間の関数として有するように配置されるべき最適なエネルギーを計算するために使用され得る。最適なフラグメンテーションエネルギーは、イオンの質量対電荷比の関数として変化する。任意の時点でイオン移動度分光計またはセパレータ３から現れるイオンの質量対電荷比は一般に既知であるので、最適なフラグメンテーションエネルギーと１パケットまたはパルスのイオンがイオン移動度分光計またはセパレータ３に入射してからの時間との関係は、決定され得る。図４は、好ましい実施形態によって、好ましくは、どのようにイオンのフラグメンテーションエネルギーが時間の関数として変化するように構成されるべきかのグラフを示す。
【００９５】
上記好ましい実施形態によると、親または前駆体イオンがイオン移動度分光計またはセパレータ３から現れ、その後フラグメンテーションデバイス５へと進む際に、そのイオンは好ましくは実質的に最適な方法によりフラグメンテーションデバイス５内でフラグメンテーションされるようなポテンシャル差を通して加速される。次いで、その結果フラグメンテーションデバイス５内に生成されたフラグメントまたは娘イオンは、好ましくはフラグメンテーションデバイス５を出射するように配置される。フラグメントまたは娘イオンは、一定または時変電界がフラグメンテーションデバイス５の長さに沿って印加されることによってフラグメンテーションデバイス５を離れるように駆動され得る。次いで、フラグメンテーションデバイス５から現れたフラグメントまたは娘イオンは、好ましくは第３の移送光学部品６またはイオンガイドを通過し、次いで好ましくは、例えば、直交加速飛行時間質量分析器７によって質量分析される。しかし、他の実施形態によると、イオンは別の形態の質量分析器によって質量分析され得る。
【００９６】
上記好ましい実施形態のよると、実質的に全対象質量対電荷比範囲にわたり、親または前駆体イオンの効率的かつ最適なフラグメンテーションが、容易に得られる。したがって、上記好ましい実施形態によると、フラグメントイオン感度が著しく増加または改善され、前駆体または親イオンのフラグメントイオン質量スペクトルへのクロスオーバーが実質的に低減される。したがって、上記好ましい実施形態は、フラグメントイオン質量スペクトルが生成されることを、可能にする。ここで、フラグメントイオン質量スペクトルに見られる実質的にすべてのイオンは、実際にフラグメントイオンである。このことは、従来のアプローチからの重要な改善を示す。従来のアプローチでは、いくつかの親または前駆体イオンが最適にはフラグメンテーションされていないので、フラグメントイオン質量スペクトルであるはずのところに親イオンがなお見られ得る。
【００９７】
ＭＡＬＤＩイオン源が使用され得るが、他のイオン源（例えば、大気圧イオン化（「ＡＰＩ」）イオン源および、特に、エレクトロスプレーイオン化イオン源が等しく好ましい）が使用され得る。最も従来の大気圧イオン化イオン源およびエレクトロスプレーイオン源は、特にＭＡＬＤＩイオン源と一価ではなく多価の親または前駆体イオンを生成しやすい点が異なる。しかし、上記好ましい実施形態は、多価イオンがイオン源によって生成もしくは発生される構成、または多価イオンがイオン移動度分光計もしくはセパレータ３へ通過される構成に等しく適用可能である。
【００９８】
上記好ましい実施形態によると、多価イオンがイオン源によって生成され、イオン移動度分光計またはセパレータ３へ移送され、次いでフラグメンテーションデバイス５へ通過されると、多価イオンの衝突エネルギーは、好ましくは同じポテンシャル差を通して加速される一価イオンに対する電荷数に比例して増加される。例えば、同じ質量対電荷比を有するイオンを考えると、例えば、一価イオンの最適な衝突エネルギーが１０ｅＶである場合、二価イオンに対する衝突エネルギーは２０ｅＶに設定され、三価イオンに対する衝突エネルギーは３０ｅＶに設定される。
【００９９】
当業者に理解されるように、イオン移動度分光計またはセパレータ３を通るドリフト時間の関数としての最適なフラグメンテーションエネルギー間の正確な対応は多価イオンに対して少し変化するが、イオン移動度分光計またはセパレータ３から現れるイオンのエネルギーを時間の関数として漸進的に増加させる上記好ましい実施形態の一般動作原理は同じままである。
【０１００】
イオン移動度分光計またはセパレータから現れるイオンの運動エネルギーが好ましくは時間とともに増加される上記好ましい実施形態に対する例外は、質量分析計が二価（または多価）イオンのフラグメンテーションを最適化するステップから一価イオンのフラグメンテーションを最適化するステップへ切り換わることである。例えば、二価（または多価）イオンは、同じ質量対電荷比を有する一価イオンより前にイオン移動度分光計またはセパレータ３を出射する。二価イオンは、例えば、２０ｅＶの運動エネルギーを得るように配置され得る。次いで質量分析計が同じ質量対電荷比を有する一価イオンのフラグメンテーションを最適化するステップへ切り換わると、一価イオンは１０ｅＶの運動エネルギーを得るように配置され得る。
【０１０１】
本発明を好ましい実施形態を参照して説明してきたが、添付の特許請求の範囲に記載の本発明の範囲を逸脱せずに形態および詳細において種々の変更がなされ得ることが当業者には理解される。
【図面の簡単な説明】
【０１０２】
【図１】図１は、好ましい実施形態に係る質量分析計を模式的に示す図である。
【図２】図２は、異なる質量対電荷比を有する一価イオンが好ましい実施形態に係るイオン移動度分光計またはセパレータを出射するのにかかる時間を示す図である。
【図３】図３は、例えば、ＭＡＬＤＩイオン源から出射された際の一価イオンについての、質量対電荷比に対する最適なフラグメンテーションエネルギーのプロットを示す図である。
【図４】図４は、一価イオンが上記好ましい実施形態に係るイオン移動度分光計またはセパレータをドリフト通過するのにかかる時間に対する、イオンが有するべきフラグメンテーションのための最適なエネルギーのプロットを示す図である。
【図１】
2008513941.tif 000003
【図２】
2008513941.tif 000004
【図３】
2008513941.tif 000005
【図４】
2008513941.tif 000006
【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
イオンをそのイオン移動度にしたがって分離するように配置および適合されるイオン移動度分光計またはセパレータと、
時刻ｔ1に前記イオン移動度分光計またはセパレータから現れる第１のイオンを第１の運動エネルギーＥ1を得るように加速し、かつ時刻ｔ1より後の第２の時刻ｔ2に前記イオン移動度分光計またはセパレータから現れる第２の異なるイオンを第２の異なる運動エネルギーＥ2を得るように加速するように配置および適合される加速手段と、
前記加速手段によって加速されたイオンを受け取るように配置されるフラグメンテーションデバイスと
を含む質量分析計。
【請求項２】
前記加速手段が、イオンが前記イオン移動度分光計またはセパレータから前記フラグメンテーションデバイスへと進む際に前記イオンが得る運動エネルギーを変更および／または変化および／または走査するように配置および適合される請求項１に記載の質量分析計。
【請求項３】
前記加速手段が、実質的に連続的および／または直線的および／または漸進的および／または規則的な方法で、イオンが前記イオン移動度分光計またはセパレータから前記フラグメンテーションデバイスへと進む際に前記イオンが得る運動エネルギーを変更および／または変化および／または走査するように配置および適合される請求項２に記載の質量分析計。
【請求項４】
前記加速手段が、実質的に非連続的および／または非直線的および／または段階的な方法で、イオンが前記イオン移動度分光計またはセパレータから前記フラグメンテーションデバイスへと進む際に前記イオンが得る運動エネルギーを変更および／または変化および／または走査するように配置および適合される請求項２に記載の質量分析計。
【請求項５】
Ｅ2＞Ｅ1である、先行する請求項のいずれかに記載の質量分析計。
【請求項６】
前記加速手段が、イオンが前記イオン移動度分光計またはセパレータから前記フラグメンテーションデバイスへ移送される際に前記イオンが得る運動エネルギーを時間とともに漸進的に増加するように配置および適合される先行する請求項のいずれかに記載の質量分析計。
【請求項７】
前記加速手段が、イオンが前記フラグメンテーションデバイスに入射する際にフラグメンテーションのための実質的に最適な運動エネルギーを得るように、前記イオンを加速するように配置および適合される先行する請求項のいずれかに記載の質量分析計。
【請求項８】
イオンをそのイオン移動度にしたがって分離するように配置および適合されるイオン移動度分光計またはセパレータと、
時刻ｔ1に前記イオン移動度分光計またはセパレータから現れる第１のイオンを第１のポテンシャル差Ｖ1を通して加速し、かつ時刻ｔ1より後の第２の時刻ｔ2に前記イオン移動度分光計またはセパレータから現れる第２の異なるイオンを第２の異なるポテンシャル差Ｖ2を通して加速するように配置および適合される加速手段と、
前記加速手段によって加速されたイオンを受け取るように配置されるフラグメンテーションデバイスと
を含む質量分析計。
【請求項９】
前記加速手段が、イオンが前記イオン移動度分光計またはセパレータから前記フラグメンテーションデバイスへと進む際に前記イオンが通過するポテンシャル差を変更および／または変化および／または走査するように配置および適合される請求項８に記載の質量分析計。
【請求項１０】
前記加速手段が、実質的に連続的および／または直線的および／または漸進的および／または規則的な方法で、イオンが前記イオン移動度分光計またはセパレータから前記フラグメンテーションデバイスへと進む際に前記イオンが通過するポテンシャル差を変更および／または変化および／または走査するように配置および適合される請求項９に記載の質量分析計。
【請求項１１】
前記加速手段が、実質的に非連続的および／または非直線的および／または段階的な方法で、イオンが前記イオン移動度分光計またはセパレータから前記フラグメンテーションデバイスへと進む際に前記イオンが通過するポテンシャル差を変更および／または変化および／または走査するように配置および適合される請求項９に記載の質量分析計。
【請求項１２】
Ｖ2＞Ｖ1である、請求項８から１１のいずれかに記載の質量分析計。
【請求項１３】
前記加速手段が、イオンが前記イオン移動度分光計またはセパレータから前記フラグメンテーションデバイスへ移送される際に前記イオンが通過するポテンシャル差を漸進的に増加するように配置および適合される請求項８から１２のいずれかに記載の質量分析計。
【請求項１４】
Ｖ2＜Ｖ1である、請求項８から１１のいずれかに記載の質量分析計。
【請求項１５】
前記加速手段が、イオンが前記イオン移動度分光計またはセパレータから前記フラグメンテーションデバイスへ移送される際に前記イオンが通過するポテンシャル差を低減するように配置および適合される請求項８から１１または１４のいずれかに記載の質量分析計。
【請求項１６】
前記加速手段が、イオンが前記フラグメンテーションデバイスに入射する際にフラグメンテーションのための実質的に最適なポテンシャル差を通過するように前記イオンを加速するように配置および適合される請求項８から１５のいずれかに記載の質量分析計。
【請求項１７】
前記加速手段が、イオンを前記フラグメンテーションデバイス中へ加速および／または減速するように配置および適合される先行する請求項のいずれかに記載の質量分析計。
【請求項１８】
前記イオン移動度分光計またはセパレータが、気相電気泳動デバイスを含む先行する請求項のいずれかに記載の質量分析計。
【請求項１９】
前記イオン移動度分光計またはセパレータが、ドリフトチューブと、前記ドリフトチューブの少なくとも一部に沿って軸方向ＤＣ電圧勾配を維持するための１つ以上の電極とを含む先行する請求項のいずれかに記載の質量分析計。
【請求項２０】
前記イオン移動度分光計またはセパレータが、１つ以上の多重極ロッドセットを含む先行する請求項のいずれかに記載の質量分析計。
【請求項２１】
前記１つ以上の多重極ロッドセットが、軸方向にセグメント化されるか、または複数の軸方向セグメントを含む請求項２０に記載の質量分析計。
【請求項２２】
前記イオン移動度分光計またはセパレータが、複数の電極を含み、
前記イオン移動度分光計またはセパレータの前記電極の少なくとも５％、１０％、１５％、２０％、２５％、３０％、３５％、４０％、４５％、５０％、５５％、６０％、６５％、７０％、７５％、８０％、８５％、９０％、９５％または１００％が、使用時にイオンが通るアパーチャを有する先行する請求項のいずれかに記載の質量分析計。
【請求項２３】
前記イオン移動度分光計またはセパレータが、複数のプレートまたはメッシュ電極を含み、
前記プレートまたはメッシュ電極の少なくともいくつかが、使用時にイオンが走行する平面内に概ね配置される先行する請求項のいずれかに記載の質量分析計。
【請求項２４】
前記イオン移動度分光計またはセパレータの軸方向長さの少なくとも一部に沿って少なくともいくつかのイオンを駆動するために、１つ以上の過渡ＤＣ電圧または１つ以上の過渡ＤＣ電圧波形を、前記イオン移動度分光計またはセパレータを形成する電極に印加するように配置および適合される過渡ＤＣ電圧手段をさらに含む、先行する請求項のいずれかに記載の質量分析計。
【請求項２５】
前記イオン移動度分光計またはセパレータの軸方向長さの少なくとも一部に沿って少なくともいくつかのイオンを駆動するために、２つ以上の位相シフトＡＣまたはＲＦ電圧を、前記イオン移動度分光計またはセパレータを形成する電極に印加するように配置および適合されるＡＣまたはＲＦ電圧手段をさらに含む、先行する請求項のいずれかに記載の質量分析計。
【請求項２６】
前記イオン移動度分光計またはセパレータが、複数の電極を含み、
前記質量分析計が、イオンを前記イオン移動度分光計またはセパレータ内に半径方向にまたは前記イオン移動度分光計またはセパレータの中心軸の回りに閉じ込めるために、前記イオン移動度分光計またはセパレータの前記複数の電極の少なくとも５％、１０％、２０％、３０％、４０％、５０％、６０％、７０％、８０％、９０％、９５％または１００％にＡＣまたはＲＦ電圧を印加するように配置および適合されるＡＣまたはＲＦ電圧手段をさらに含む、先行する請求項のいずれかに記載の質量分析計。
【請求項２７】
前記イオン移動度分光計またはセパレータの少なくとも一部を（ｉ）＞０．００１ｍｂａｒ、（ｉｉ）＞０．０１ｍｂａｒ、（ｉｉｉ）＞０．１ｍｂａｒ、（ｉｖ）＞１ｍｂａｒ、（ｖ）＞１０ｍｂａｒ、（ｖｉ）＞１００ｍｂａｒ、（ｖｉｉ）０．００１〜１００ｍｂａｒ、（ｖｉｉｉ）０．０１〜１０ｍｂａｒ、および（ｉｘ）０．１〜１ｍｂａｒからなる群から選択される圧力に維持するように配置および適合される手段をさらに含む、先行する請求項のいずれかに記載の質量分析計。
【請求項２８】
前記イオン移動度分光計またはセパレータから現れるイオンを前記フラグメンテーションデバイスへまたは中へガイドまたは移送するために、前記イオン移動度分光計またはセパレータと前記フラグメンテーションデバイスとの間に配置されたイオンガイドまたは移送手段をさらに含む、先行する請求項のいずれかに記載の質量分析計。
【請求項２９】
前記フラグメンテーションデバイスが、衝突またはフラグメンテーションセルを含む先行する請求項のいずれかに記載の質量分析計。
【請求項３０】
前記フラグメンテーションデバイスが、衝突誘起解離（「ＣＩＤ」）または表面誘起解離（「ＳＩＤ」）によってイオンをフラグメンテーションするように配置および適合される先行する請求項のいずれかに記載の質量分析計。
【請求項３１】
前記フラグメンテーションデバイスが、多重極ロッドセットを含む先行する請求項のいずれかに記載の質量分析計。
【請求項３２】
前記多重極ロッドセットが、軸方向にセグメント化される請求項３１に記載の質量分析計。
【請求項３３】
前記フラグメンテーションデバイスが、複数の電極を含み、
前記フラグメンテーションデバイスの前記電極の少なくとも５％、１０％、１５％、２０％、２５％、３０％、３５％、４０％、４５％、５０％、５５％、６０％、６５％、７０％、７５％、８０％、８５％、９０％、９５％または１００％が、使用時にイオンが通るアパーチャを有する先行する請求項のいずれかに記載の質量分析計。
【請求項３４】
前記フラグメンテーションデバイスが、複数のプレートまたはメッシュ電極を含み、
前記プレートまたはメッシュ電極の少なくともいくつかが、使用時にイオンが走行する平面内に概ね配置される先行する請求項のいずれかに記載の質量分析計。
【請求項３５】
前記フラグメンテーションデバイスの軸方向長さの少なくとも一部に沿って少なくともいくつかのイオンを駆動するために、１つ以上の過渡ＤＣ電圧または１つ以上の過渡ＤＣ電圧波形を前記フラグメンテーションデバイスを形成する電極に印加するように配置および適合される過渡ＤＣ電圧手段をさらに含む、先行する請求項のいずれかに記載の質量分析計。
【請求項３６】
前記フラグメンテーションデバイスの軸方向長さの少なくとも一部に沿って少なくともいくつかのイオンを駆動するために、２つ以上の位相シフトＡＣまたはＲＦ電圧を前記フラグメンテーションデバイスを形成する電極に印加するように配置および適合されるＡＣまたはＲＦ電圧手段をさらに含む、先行する請求項のいずれかに記載の質量分析計。
【請求項３７】
前記フラグメンテーションデバイスが、複数の電極を含み、
前記質量分析計が、イオンを前記フラグメンテーションデバイス内に半径方向にまたは前記フラグメンテーションデバイスの中心軸の回りに閉じ込めるために、前記フラグメンテーションデバイスの前記複数の電極の少なくとも１％、５％、１０％、２０％、３０％、４０％、５０％、６０％、７０％、８０％、９０％、９５％または１００％にＡＣまたはＲＦ電圧を印加するように配置および適合されるＡＣまたはＲＦ電圧手段をさらに含む先行する請求項のいずれかに記載の質量分析計。
【請求項３８】
前記フラグメンテーションデバイスの少なくとも一部を（ｉ）＞０．０００１ｍｂａｒ、（ｉｉ）＞０．００１ｍｂａｒ、（ｉｉｉ）＞０．０１ｍｂａｒ、（ｉｖ）＞０．１ｍｂａｒ、（ｖ）＞１ｍｂａｒ、（ｖｉ）＞１０ｍｂａｒ、（ｖｉｉ）０．０００１〜０．１ｍｂａｒ、および（ｖｉｉｉ）０．００１〜０．０１ｍｂａｒからなる群から選択される圧力に維持するように配置および適合される手段をさらに含む、先行する請求項のいずれかに記載の質量分析計。
【請求項３９】
ある動作モードにおいて、前記イオン移動度分光計またはセパレータの上流でイオンをトラップし、１パルスのイオンを前記イオン移動度分光計またはセパレータへ進ませるかまたは移送するように配置および適合される手段をさらに含む、先行する請求項のいずれかに記載の質量分析計。
【請求項４０】
前記フラグメンテーションデバイスを、イオンが実質的にフラグメンテーションされる第１の動作モードと、フラグメンテーションされるイオンが実質的により少ないかまたは全くない第２の動作モードとの間で、切り換えるかまたは繰り返し切り換えるように配置および適合される制御システムをさらに含む先行する請求項のいずれかに記載の質量分析計。
【請求項４１】
前記第１の動作モードにおいて、前記イオン移動度分光計またはセパレータに存在するイオンが、（ｉ）≧１０Ｖ、（ｉｉ）≧２０Ｖ、（ｉｉｉ）≧３０Ｖ、（ｉｖ）≧４０Ｖ、（ｖ）≧５０Ｖ、（ｖｉ）≧６０Ｖ、（ｖｉｉ）≧７０Ｖ、（ｖｉｉｉ）≧８０Ｖ、（ｉｘ）≧９０Ｖ、（ｘ）≧１００Ｖ、（ｘｉ）≧１１０Ｖ、（ｘｉｉ）≧１２０Ｖ、（ｘｉｉｉ）≧１３０Ｖ、（ｘｉｖ）≧１４０Ｖ、（ｘｖ）≧１５０Ｖ、（ｘｖｉ）≧１６０Ｖ、（ｘｖｉｉ）≧１７０Ｖ、（ｘｖｉｉｉ）≧１８０Ｖ、（ｘｉｘ）≧１９０Ｖ、および（ｘｘ）≧２００Ｖからなる群から選択されるポテンシャル差を通して加速される請求項４０に記載の質量分析計。
【請求項４２】
前記第２の動作モードにおいて、前記イオン移動度分光計またはセパレータに存在するイオンが、（ｉ）≦２０Ｖ、（ｉｉ）≦１５Ｖ、（ｉｉｉ）≦１０Ｖ、（ｉｖ）≦５Ｖ、および（ｖ）≦１Ｖからなる群から選択されるポテンシャル差を通して加速される請求項４０または４１に記載の質量分析計。
【請求項４３】
前記制御システムが、１ミリ秒、５ミリ秒、１０ミリ秒、１５ミリ秒、２０ミリ秒、２５ミリ秒、３０ミリ秒、３５ミリ秒、４０ミリ秒、４５ミリ秒、５０ミリ秒、５５ミリ秒、６０ミリ秒、６５ミリ秒、７０ミリ秒、７５ミリ秒、８０ミリ秒、８５ミリ秒、９０ミリ秒、９５ミリ秒、１００ミリ秒、２００ミリ秒、３００ミリ秒、４００ミリ秒、５００ミリ秒、６００ミリ秒、７００ミリ秒、８００ミリ秒、９００ミリ秒、１秒、２秒、３秒、４秒、５秒、６秒、７秒、８秒、９秒または１０ごとに少なくとも１回、前記フラグメンテーションデバイスを前記第１の動作モードと前記第２の動作モードとの間で切り換えるように配置および適合される、請求項４０、４１または４２のいずれかに記載の質量分析計。
【請求項４４】
（ｉ）エレクトロスプレーイオン化（「ＥＳＩ」）イオン源、（ｉｉ）大気圧光イオン化（「ＡＰＰＩ」）イオン源、（ｉｉｉ）大気圧化学イオン化（「ＡＰＣＩ」）イオン源、（ｉｖ）マトリックス支援レーザ脱離イオン化（「ＭＡＬＤＩ」）イオン源、（ｖ）レーザ脱離イオン化（「ＬＤＩ」）イオン源、（ｖｉ）大気圧イオン化（「ＡＰＩ」）イオン源、（ｖｉｉ）シリコンを用いた脱離イオン化（「ＤＩＯＳ」）イオン源、（ｖｉｉｉ）電子衝突（「ＥＩ」）イオン源、（ｉｘ）化学イオン化（「ＣＩ」）イオン源、（ｘ）電界イオン化（「ＦＩ」）イオン源、（ｘｉ）電界脱離（「ＦＤ」）イオン源、（ｘｉｉ）誘導結合プラズマ（「ＩＣＰ」）イオン源、（ｘｉｉｉ）高速原子衝撃（「ＦＡＢ」）イオン源、（ｘｉｖ）液体二次イオン質量分析（「ＬＳＩＭＳ」）イオン源、（ｘｖ）脱離エレクトロスプレーイオン化（「ＤＥＳＩ」）イオン源、（ｘｖｉ）ニッケル−６３放射性イオン源、および（ｘｖｉｉ）大気圧マトリックス支援レーザ脱離イオン化イオン源からなる群から選択されるイオン源をさらに含む、先行する請求項のいずれかに記載の質量分析計。
【請求項４５】
前記フラグメンテーションデバイスの下流に配置された質量分析器をさらに含み、前記質量分析器が、（ｉ）フーリエ変換（「ＦＴ」）質量分析器、（ｉｉ）フーリエ変換イオンサイクロトロン共鳴（「ＦＴＩＣＲ」）質量分析器、（ｉｉｉ）飛行時間（「ＴＯＦ」）質量分析器、（ｉｖ）直交加速度飛行時間（「ｏａＴＯＦ」）質量分析器、（ｖ）軸方向加速度飛行時間質量分析器、（ｖｉ）扇形磁場質量分析計、（ｖｉｉ）ポールまたは３Ｄ四重極質量分析器、（ｖｉｉｉ）２Ｄまたは直線四重極質量分析器、（ｉｘ）ペニングトラップ質量分析器、（ｘ）イオントラップ質量分析器、（ｘｉ）フーリエ変換オービトラップ、（ｘｉｉ）静電フーリエ変換質量分析計、および（ｘｉｉｉ）四重極質量分析器からなる群から選択される、先行する請求項のいずれかに記載の質量分析計。
【請求項４６】
前記イオン移動度分光計またはセパレータの上流に配置された１つ以上の質量もしくは質量対電荷比フィルタおよび／または分析器をさらに含み、
前記１つ以上の質量もしくは質量対電荷比フィルタおよび／または分析器が、（ｉ）四重極質量フィルタまたは分析器、（ｉｉ）ウィーンフィルタ、（ｉｉｉ）扇形磁場質量フィルタまたは分析器、（ｉｖ）速度フィルタ、および（ｖ）イオンゲートからなる群から選択される先行する請求項のいずれかに記載の質量分析計。
【請求項４７】
質量分析の方法であって、
イオン移動度分光計またはセパレータにおいて、イオンを、そのイオン移動度にしたがって分離するステップと、
時刻ｔ1に前記イオン移動度分光計またはセパレータから現れる第１のイオンを第１の運動エネルギーＥ1を得るよう加速するステップと、
時刻ｔ1より後の第２の時刻ｔ2に前記イオン移動度分光計またはセパレータから現れる第２の異なるイオンを第２の異なる運動エネルギーＥ2を得るように加速するステップと、
フラグメンテーションデバイスにおいて前記第１および第２のイオンをフラグメンテーションするステップと
を含む方法。
【請求項４８】
質量分析の方法であって、
イオン移動度分光計またはセパレータにおいて、イオンを、そのイオン移動度にしたがって分離するステップと、
時刻ｔ1に前記イオン移動度分光計またはセパレータから現れる第１のイオンを第１のポテンシャル差Ｖ1を通して加速するステップと、
時刻ｔ1より後の第２の時刻ｔ2に前記イオン移動度分光計またはセパレータから現れる第２の異なるイオンを第２の異なるポテンシャル差Ｖ2を通して加速するステップと、
フラグメンテーションデバイスにおいて前記第１および第２のイオンをフラグメンテーションするステップと
を含む方法。
【国際調査報告】
2008513941.tif 000007
2008513941.tif 000008
2008513941.tif 000009